(57)【要約】  本発明は、疎水変性カチオン性ポリマーを含む組成物並びにこのような組成物を製造及び使用する方法に関する。このような疎水変性カチオン性ポリマーは、限定するものではないが、粒子の構成要素にするなどして様々な方法で組成物に加えることができる。このような組成物の利点には、望ましくない物質の堆積を著しく増加させずに、有益剤の堆積を選択的に増加させ得るというものが含まれる。【特許請求の範囲】
【請求項１】
布地及びホームケア組成物であって、
ａ）疎水変性カチオン性ポリマーであって、式：
ＰｒＳｘ
（式中、ｒは約１０〜約１０，０００の数であり、Ｓは疎水性部分であり、指数ｘは１〜ｒ／１０に等しい数であり、Ｐは
（ｉｉｉ）ポリエチレンイミン、
（ｉｖ）置換ポリエチレンイミン、
（ｉｉｉ）Ｎ，Ｎ−ジアルキルアミノアルキルアクリレート、Ｎ，Ｎ−ジアルキルアミノアルキルメタクリレート、Ｎ，Ｎ−ジアルキルアミノアルキルアクリルアミド、Ｎ，Ｎ−ジアルキルアミノアルキルメタクリルアミド、四級化Ｎ，Ｎジアルキルアミノアルキルアクリレート、四級化Ｎ，Ｎ−ジアルキルアミノアルキルメタクリレート、四級化Ｎ，Ｎ−ジアルキルアミノアルキルアクリルアミド、四級化Ｎ，Ｎ−ジアルキルアミノアルキルメタクリルアミド、メタクリルアミドプロピル−ペンタメチル−１，３−プロピレン−２−オール−アンモニウムジクロリド、Ｎ，Ｎ，Ｎ，Ｎ’，Ｎ’，Ｎ”，Ｎ”−ヘプタメチル−Ｎ”−３−（１−オキソ−２−メチル−２−プロペニル）アミノプロピル−９−オキソ−８−アゾ−デカン−１，４，１０−トリアンモニウムトリクロリド、ビニルアミン、アリルアミン、ビニルイミダゾール、四級化ビニルイミダゾール、ジアリルジアルキルアンモニウムクロリド、及びこれらの混合物、からなる群から選択されるモノマー残基を含む合成ポリマー、からなる群から選択され、
及びＳは式
ＪｑＷ
を有し
指数ｑは０又は１であり、
各Ｊは、
【化１】
2015531008.tif 000045
及びこれらの混合物からなる群から選択される部分を含み、各Ｒ１及びＲ４は、独立して、水素又はＣ１〜Ｃ４アルキルから選択され、
各Ｘ及びＭは、場合によりＮ又はＯにより中断されている二価アルキレンラジカルであり、
ｐは１〜４の整数であり、
及び
Ｗはシロキサンポリマー又は官能化シロキサンポリマーを含む）を有する疎水変性カチオン性ポリマー、
ｂ）所望により、有益剤、
ｃ）所望により、アニオン性界面活性剤、カチオン性界面活性剤、非イオン性界面活性剤、両性界面活性剤、及びこれらの混合物からなる群から選択される界面活性剤、を含む、布地及びホームケア組成物。
【請求項２】
Ｐが、
（ｉ）ポリエチレンイミン、
（ｉｉ）置換ポリエチレンイミン、
（ｉｉｉ）Ｎ，Ｎ−ジアルキルアミノアルキルアクリレート、Ｎ，Ｎ−ジアルキルアミノアルキルメタクリレート、Ｎ，Ｎ−ジアルキルアミノアルキルアクリルアミド、Ｎ，Ｎ−ジアルキルアミノアルキルメタクリルアミド、四級化Ｎ，Ｎジアルキルアミノアルキルアクリレート、四級化Ｎ，Ｎ−ジアルキルアミノアルキルメタクリレート、四級化Ｎ，Ｎ−ジアルキルアミノアルキルアクリルアミド、四級化Ｎ，Ｎ−ジアルキルアミノアルキルメタクリルアミド、メタクリルアミドプロピル−ペンタメチル−１，３−プロピレン−２−オール−アンモニウムジクロリド、Ｎ，Ｎ，Ｎ，Ｎ’，Ｎ’，Ｎ”，Ｎ”−ヘプタメチル−Ｎ”−３−（１−オキソ−２−メチル−２−プロペニル）アミノプロピル−９−オキソ−８−アゾ−デカン−１，４，１０−トリアンモニウムトリクロリド、ビニルアミン、アリルアミン、ビニルイミダゾール、四級化ビニルイミダゾール、ジアリルジアルキルアンモニウムクロリド、及びこれらの混合物からなる群から選択されるモノマー残基を含む合成ポリマー、からなる群から選択される、請求項１に記載の布地及びホームケア組成物。
【請求項３】
Ｐが、ランダムコポリマーの総重量に基づき、ジアリルジアルキルアンモニウムクロリド、Ｎ−ビニルピロリドン、グリシジルメタクリレート、アクリルアミド、Ｎ−アルキルアクリルアミド、及びこれらの混合物からなる群から選択されるモノマー残基を含むランダムコポリマーである、請求項１に記載の布地及びホームケア組成物。
【請求項４】
Ｐが、ランダムコポリマーであって、前記ランダムコポリマーの総重量に基づき、
（ｉ）０重量％〜８０重量％、好ましくは５重量％〜７０重量％、より好ましくは１０重量％〜６０重量％のＮ−ビニルピロリドン残基、
（ｉｉ）０．０１重量％〜２０重量％、好ましくは０．０５重量％〜１５重量％、又は０．５重量％〜１０重量％のグリシジルメタクリレート、
（ｉｉｉ）５重量％〜９５重量％、好ましくは１０重量％〜９０重量％、又は１５重量％〜７０重量％のジアリールジメチルアンモニウムクロリド残基、
（ｉｖ）５重量％〜９５重量％、好ましくは１０重量％〜９０重量％、又は１５重量％〜７０重量％のアクリルアミド残基、
（ｖ）５重量％〜９５重量％、好ましくは１０重量％〜９０重量％、又は１５重量％〜７０重量％のＮ−アルキルアクリルアミド残基、並びに
（ｖｉ）（ｉ）〜（ｖ）の組み合わせ、を含み、
但し、前記残基の総計は１００％を超過しないランダムコポリマーである、請求項３に記載の布地及びホームケア組成物。
【請求項５】
Ｒ１及びＲ４が水素であり、
Ｊが、
【化２】
2015531008.tif 000046
からなる群から選択され、
Ｘが、（ＣＨ２）ｐ、−ＮＨ−（ＣＨ２）ｐ−、−ＮＨ−（ＣＨ２）ｐ−ＮＨ−（ＣＨ２）ｐ、−−Ｏ−（ＣＨ２）ｐ−及び
【化３】
2015531008.tif 000047
からなる群から選択され、
前記シロキサンポリマーが、ポリジメチルシロキサンであり、及び前記官能化シロキサンポリマーが官能化ポリジメチルシロキサンである、請求項１〜４のいずれか一項に記載の布地及びホームケア組成物。
【請求項６】
前記組成物が有益剤を含み、前記有益剤と前記疎水変性カチオン性ポリマーの比が、４０：１〜５：１、好ましくは３５：１〜７：１、より好ましくは３０：１〜１０：１、及び最も好ましくは２０：１〜１５：１である、請求項１〜５のいずれか一項に記載の布地及びホームケア組成物。
【請求項７】
前記有益剤が、シリコーン、ビニルポリマー、ポリエーテル、炭化水素ワックスを含む物質、液体炭化水素、流体糖ポリエステル、流体糖ポリエーテル、香料原材料、香料送達系、シリコーンオイル、ワックス、炭化水素、高級脂肪酸、精油、脂質、皮膚清涼化剤、ビタミン、日焼け止め剤、抗酸化物質、グリセリン、触媒、漂白粒子、二酸化ケイ素粒子、悪臭現象剤、臭気調節剤、キレート化剤、静電気防止剤、柔軟剤、虫忌避剤及び防虫剤、着色剤、抗酸化物質、キレート剤、増粘剤、ドレープ及び形状調節剤、平滑剤、しわ調節剤、衛生化剤、消毒剤、細菌制御剤、カビ制御剤、うどん粉菌制御剤、抗ウイルス剤、乾燥剤、耐汚染剤、汚れ放出剤、布地リフレッシング剤及び洗いあがり感延長剤、塩素漂白悪臭調節剤、染料固着剤、移染阻害剤、色調維持剤、光学的増白剤、色調回復／再生剤、抗退色剤、増白剤、抗摩擦剤、着用耐性剤、布地一体化剤、抗着用剤、抗ピリング剤、脱泡剤、抗起泡剤、紫外線保護剤、日褪せ阻害剤、抗アレルギー剤、酵素、撥水剤、布地色調剤、布地快適剤、防縮剤、伸張耐性剤、伸張回復剤、皮膚ケア剤、グリセリン、及び天然活性剤、抗菌活性剤、制汗剤、カチオン性ポリマー、染料、及びこれらの混合物からなる群から選択され、好ましくは、前記有益剤がシリコーンを含み、より好ましくは有機官能性シリコーン、最も好ましくは次式
［Ｒ１Ｒ２Ｒ３ＳｉＯ１／２］（ｊ＋２）［Ｒ４Ｓｉ（Ｘ−Ｚ）Ｏ２／２］ｋ［Ｒ４Ｒ４ＳｉＯ２／２］ｍ［Ｒ４ＳｉＯ３／２］ｊ
（式中、
ｊは０〜９８の整数であり、好ましくは、ｊは０〜４８の整数であり、より好ましくは、ｊは０であり、
ｋは０〜２００の整数であり、好ましくは、ｋは０〜５０の整数であり、ｋが０の場合、Ｒ１、Ｒ２、又はＲ３のうちの少なくとも１つは−Ｘ−Ｚであり、
ｍは４〜５，０００の整数であり、好ましくは、ｍは１０〜４，０００の整数であり、より好ましくは、ｍは５０〜２，０００の整数であり
Ｒ１、Ｒ２及びＲ３は、それぞれ独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ、及びＸ−Ｚからなる群から選択され、
各Ｒ４は、独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、及びＣ１〜Ｃ３２置換アルコキシからなる群から選択され、
各Ｘ−Ｚに関し、
Ｘは炭素原子を２〜１２個含む二価アルキレンラジカルを含み、
前記オルガノシロキサン中、少なくとも１つのＺは、Ｒ５、
【化４】
2015531008.tif 000048
からなる群から選択され、
前記オルガノシリコーン中、各追加のＺは、独立してＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｒ５、
【化５】
2015531008.tif 000049
からなる群から選択され、
各Ｒ５は、独立してＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール又はＣ６〜Ｃ３２アルキルアリール、又はＣ６〜Ｃ３２置換アルキルアリール、−（ＣＨＲ６−ＣＨＲ６−Ｏ−）ｗ−ＣＨＲ６−ＣＨＲ６−Ｌ及びシロキシル残基からなる群から選択され、
ｗは０〜５００の整数であり、好ましくはｗは０〜２００の整数であり、より好ましくはｗは０〜５０の整数であり、
各Ｒ６が、Ｈ又はＣ１〜Ｃ１８アルキルから独立して選択され、
各Ｌが、独立して−Ｏ−Ｃ（Ｏ）−Ｒ７又は−Ｏ−Ｒ７、
【化６】
2015531008.tif 000050
から選択され、
各Ｒ７は、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、及びＣ６〜Ｃ３２置換アリール、並びにシロキシル残基からなる群から選択され、
各Ｔは、独立して、Ｈ、
【化７】
2015531008.tif 000051
から選択され、
前記オルガノシリコーン中、各ｖは１〜約１０の整数であり、一態様では、ｖは１〜約５の整数であり、前記オルガノシリコーンの各Ｚにおけるすべてのｖの合計は、１〜約３０又は１〜約２０又は１〜約１０の整数であり、但し、分子中のＴ部分の合計は６を超過しない）を有する有機官能性シリコーンを含む、請求項１〜６のいずれか一項に記載の布地及びホームケア組成物。
【請求項８】
前記シリコーンが、０．００００１ｍ２／ｓ〜２ｍ２／ｓ（１０センチストークス（ｃＳｔ）〜２，０００，０００ｃＳｔ）、０．００００５ｍ２／ｓ〜１ｍ２／ｓ（５０ｃＳｔ〜１，０００，０００ｃＳｔ）、０．０００５ｍ２／ｓ〜０．１ｍ２／ｓ（５００ｃＳｔ〜１００，０００ｃＳｔ）、又は０．０００７５ｍ２／ｓ〜０．００１ｍ２／ｓ（７５０ｃＳｔ〜１０００ｃＳｔ）、請求項７に記載の布地及びホームケア組成物。
【請求項９】
前記合成ポリマーがエチレン性不飽和モノマー残基を含み、好ましくは前記エチレン性不飽和モノマーが、アクリルアミド、Ｎ，Ｎ−ジアルキルアクリルアミド、メタクリルアミド、Ｎ，Ｎ−ジアルキルメタクリルアミド、Ｃ１〜Ｃ１２アルキルアクリレート、Ｃ１〜Ｃ１２ヒドロキシアルキルアクリレート、ポリアルキレングリオール（polyalkylene glyol）アクリレート、Ｃ１〜Ｃ１２アルキルメタクリレート、Ｃ１〜Ｃ１２ヒドロキシアルキルメタクリレート、ポリアルキレングリコールメタクリレート、酢酸ビニル、ビニルアルコール、ビニルホルムアミド、ビニルアセトアミド、ビニルアルキルエーテル、ビニルピリジン、ビニルピロリドン、ビニルモルホリン、アクリロイルモルホリン、アクリル酸、メタクリル酸、マレイン酸、ビニルスルホン酸、スチレンスルホン酸、アクリルアミドプロピルメタンスルホン酸、アクリル酸塩、メタクリル酸塩、マレイン酸塩、ビニルスルホン酸塩、スチレンスルホン酸塩、アクリルアミドプロピルメタンスルホン酸塩、エステル化アクリル酸、エステル化メタクリル酸、エステル化マレイン酸、エステル化ビニルスルホン酸、エステル化スチレンスルホン酸、エステル化アクリルアミドプロピルメタンスルホン酸、アミド化アクリル酸、アミド化メタクリル酸、アミド化マレイン酸、アミド化ビニルスルホン酸、アミド化スチレンスルホン酸、アミド化アクリルアミドプロピルメタンスルホン酸、エチレングリコールジアクリレート、ジビニルベンゼン、ブタジエン、及びこれらの混合物からなる群から選択される、請求項１〜８のいずれか一項に記載の布地及びホームケア組成物。
【請求項１０】
前記有益剤に加えて一種以上の添加剤を含み、前記添加剤が、漂白剤、漂白活性剤、界面活性剤、ビルダー、キレート化剤、移染防止剤、分散剤、酵素、酵素安定化剤、触媒金属錯体、ポリマー、ポリマー分散剤、粘土及び汚れ除去／再付着防止剤、増白剤、抑泡剤、染料、香料、香料送達系、構造弾性化剤、布地柔軟剤、基剤、ヒドロトロープ、溶媒、加工助剤及び顔料からなる群から選択される、請求項１〜９のいずれか一項に記載の布地及びホームケア組成物。
【請求項１１】
外側表面を有するコアと１つ以上の層化材料とを含む粒子の少なくとも一部分上に前記疎水変性カチオン性ポリマーが堆積され、前記粒子が、０．０２μｍ〜５００μｍ、好ましくは０．０４μｍ〜２５０μｍ、より好ましくは０．０８μｍ〜１００μｍ、及び最も好ましくは０．２０μｍ〜６０μｍの粒径を有する、請求項１〜１０のいずれか一項に記載の布地及びホームケア組成物。
【請求項１２】
前記疎水変性カチオン性ポリマーが、前記粒子のコアの前記外側表面の少なくとも一部分上に配置される、請求項１〜１１のいずれか一項に記載の布地及びホームケア組成物。
【請求項１３】
部位を処理する方法であって、所望により、部位を洗浄及び／乾燥させる工程、部位を、本明細書で開示される請求項１〜１１のいずれか一項に記載の組成物と接触させる工程、その後、所望により前記部位を洗浄及び／乾燥する工程を含む、方法。
【発明の詳細な説明】
【技術分野】
【０００１】
本発明は、疎水変性カチオン性ポリマーを含む組成物、並びにこのような組成物を製造及び使用する方法に関する。
【背景技術】
【０００２】
消費者製品は、典型的には、例えば、新鮮感、感触、抗フケ効果などをもたらす有益剤を含む。このような有益剤は、典型的には高価であり、及び／又は特にこのような有益剤が高濃度で使用されたときに、安定性に対する悪影響などの悪影響をもたらす恐れがある。結果として、産業界は、付着助剤を使用することによりこのような有益剤の付着を向上させて、このような有益剤の有効性を向上させるという試みを行っている。残念なことに、付着助剤は、所望の有益剤の付着を向上させる一方で、汚れなどの望ましくない物質の付着をも増加させる恐れがあり、及び／又は所望の有益剤の性質を変更させる恐れがある。付着助剤が汚れを付着させるとき、白色度、感触、及び／又はクリーニング効果は低下する。付着助剤により所望の有益剤の性質に悪影響が及ぶと、有益剤の有効性が低下し、及び／又は有益剤の使用によってもたらされる消費者の体験がマイナス方向に変わる場合がある。数十年にわたり、有益剤付着効果と、汚れなどの望ましくない物質の付着効果との矛盾は、十分に解消されていない。
【０００３】
出願者らは、付着助剤は、有益剤だけではなく、汚れなどの物質との疎水性及び／又は静電相互作用も受け、毛髪、皮膚、布地、及び／又は硬質表面などの消費者に関連する基材に親和性を有する粒子を形成すると認識していた。かかる相互作用は、界面活性剤の存在下で特に顕著な場合がある。
【発明の概要】
【発明が解決しようとする課題】
【０００４】
したがって、出願者らは、この原因が、望ましくない物質は堆積させず及び／又は堆積を最小限に抑えて有益剤を堆積させるための解決策の障害になっているものと認識した。このような認識の結果として、出願者らは、このような前述の問題に対する解決策を、本明細書において提供する。
【課題を解決するための手段】
【０００５】
本発明は、疎水変性カチオン性ポリマーを含む組成物、並びにこのような組成物を製造及び使用する方法に関する。
【発明を実施するための形態】
【０００６】
本明細書で使用するとき、「消費者製品」は、販売される形態での使用又は消費を一般に意図する、ベビーケア、ビューティケア、布地及びホームケア、ファミリーケア、女性用ケア、ヘルスケア、スナック、及び／又は飲料製品若しくは装置を意味する。かかる製品としては、おむつ、よだれかけ、拭き取り用品；脱色、着色、染色、コンディショニング、シャンプー、スタイリングを含む毛髪（ヒト、イヌ、及び／又はネコ）の処理に関連する製品及び／又は方法；防臭剤及び制汗剤；パーソナルクレンジング；化粧品；上質な芳香剤を含む消費者使用のためのクリーム、ローション、及び他の局所塗布製品の塗布を含むスキンケア；並びにシェービング製品、エアフレッシュナー及び芳香送達系を含む空気ケア、車ケア、食器洗浄、布地コンディショニング（柔軟化及び／又はフレッシュニングを含む）、洗濯洗浄、洗濯及びすすぎ添加剤並びに／又はケア、床及び便器洗浄剤を含む硬質表面洗浄及び／又は処理、並びに消費者用又は業務用の他の洗浄などの、布地及びホームケア領域内の布地、硬質表面、及び任意の他の表面処理に関する製品及び／又は方法；トイレットペーパー、フェイシャルティッシュ、紙ハンカチ、及び／又は紙タオルに関連する製品及び／又は方法；タンポン、女性用ナプキン；練り歯磨き、歯用ジェル、歯用リンス、義歯接着剤、歯ホワイトニングを含む口腔ケアに関連する製品及び／又は方法；咳及び風邪治療薬、鎮痛剤、処方薬、ペットヘルス及び栄養を含む店頭販売ヘルスケア；主に慣習的な食事の間又は食事随伴物としての消費が意図される加工食品（非限定的な例としては、ポテトチップス、トルティーヤチップス、ポップコーン、プレッツェル、コーンチップス、シリアルバー、野菜チップス又はクリスプ、スナックミックス、パーティミックス、マルチグレインチップス、スナッククラッカー、チーズスナック、ポークラインズ、コーンスナック、ペレットスナック、押出成形スナック及びベーグルチップが挙げられる）、並びにコーヒーが挙げられるが、これらに限定されない。
【０００７】
本発明の文脈において、用語「ａ」及び「ａｎ」は、「少なくとも１つ」を意味する。
【０００８】
本明細書で使用するとき、用語「含む」、及び「含んでいる」は、非限定的であることを意味する。
【０００９】
本明細書で使用するとき、用語「流体」は、液体、ゲル、及びペーストの製品形態を含む。
【００１０】
本明細書で使用するとき、用語「部位」には、紙製品、繊維、衣服、硬質表面、毛髪、及び皮膚が含まれる。
【００１１】
本明細書で使用するとき、ポリマーがモノマーを含有する又は含むとされるとき、このようなモノマーの残基についても同義であると理解される。
【００１２】
別途記載のない限り、成分又は組成物の濃度はすべて、当該成分又は組成物の活性部分に関するものであり、このような成分又は組成物の市販の資源中に存在し得る不純物、例えば、残留溶媒又は副生成物は除外される。
【００１３】
割合（％）及び比率は全て、別途記載のない限り重量で計算される。全ての割合（％）及び比率は、別途記載のない限り総組成物を基準にして計算される。
【００１４】
本明細書の全体を通じて与えられるすべての最大の数値限定は、それよりも小さい数値限定を、そうしたより小さい数値限定があたかも本明細書に明確に記載されているものと同様にして包含するものと理解すべきである。本明細書全体を通して記載される全ての最小数値限定は、このようなより高い数値限定が本明細書に明示的に記載されているかのように、全てのより高い数値限定を含む。本明細書全体を通して記載される全ての数値範囲は、このようなより狭い数値範囲が全て本明細書に明示的に記載されているかのように、このようなより広い数値範囲内の全てのより狭い数値範囲を含む。
【００１５】
粒子、並びに粒子の製造及び使用方法
一態様では、布地及びホームケア組成物であって、
ａ）疎水変性カチオン性ポリマーであって、式：
ＰｒＳｘ
（式中、ｒは約１０〜約１０，０００の数であり、Ｓは疎水性部分であり、指数ｘは約１〜約ｒ／１０に等しい数であり、Ｐは
（ｉ）ポリエチレンイミン、
（ｉｉ）置換ポリエチレンイミン、
（ｉｉｉ）Ｎ，Ｎ−ジアルキルアミノアルキルアクリレート、Ｎ，Ｎ−ジアルキルアミノアルキルメタクリレート、Ｎ，Ｎ−ジアルキルアミノアルキルアクリルアミド、Ｎ，Ｎ−ジアルキルアミノアルキルメタクリルアミド、四級化Ｎ，Ｎジアルキルアミノアルキルアクリレート、四級化Ｎ，Ｎ−ジアルキルアミノアルキルメタクリレート、四級化Ｎ，Ｎ−ジアルキルアミノアルキルアクリルアミド、四級化Ｎ，Ｎ−ジアルキルアミノアルキルメタクリルアミド、メタクリルアミドプロピル−ペンタメチル−１，３−プロピレン−２−オール−アンモニウムジクロリド、Ｎ，Ｎ，Ｎ，Ｎ’，Ｎ’，Ｎ’’，Ｎ’’−ヘプタメチル−Ｎ’’−３−（１−オキソ−２−メチル−２−プロペニル）アミノプロピル−９−オキソ−８−アゾ−デカン−１，４，１０−トリアンモニウムトリクロリド、ビニルアミン、アリルアミン、ビニルイミダゾール、四級化ビニルイミダゾール、ジアリルジアルキルアンモニウムクロリド、Ｎ−ビニルピロリドン、グリシジルメタクリレート、アクリルアミド、Ｎ−アルキルアクリルアミド、及びこれらの混合物、からなる群から選択されるモノマー残基を含む合成ポリマー、からなる群から選択され、
Ｓは式
ＪｑＷ
を有し、式中、
指数ｑは０又は１であり、
各Ｊは、
【００１６】
【化１】
2015531008.tif 000002
及びこれらの混合物からなる群から選択される部分を含み、各Ｒ１及びＲ４は、独立して、水素又はＣ１〜Ｃ４アルキルから選択され、一態様では、Ｒ１及びＲ４は水素であり、一態様では、Ｊは
【００１７】
【化２】
2015531008.tif 000003
からなる群から選択され、各Ｘ及びＭは、二価アルキレンラジカルであり、これらは所望によりＮ又はＯにより中断され、一態様では、Ｘは、（ＣＨ２）ｐ、−ＮＨ−（ＣＨ２）ｐ−、−ＮＨ−（ＣＨ２）ｐ−ＮＨ−（ＣＨ２）ｐ、−−Ｏ−（ＣＨ２）ｐ−及び
【００１８】
【化３】
2015531008.tif 000004
からなる群から選択され、
ｐは１〜４の整数であり、
及び
Ｗはシロキサンポリマー又は官能化シロキサンポリマーを含み、一態様では、前記シロキサンポリマーが、ポリジメチルシロキサンであり、前記官能化シロキサンポリマーが官能化ポリジメチルシロキサンである）、
ｂ）所望により、有益剤、
ｃ）所望により、アニオン性界面活性剤、カチオン性界面活性剤、非イオン性界面活性剤、両性界面活性剤、及びこれらの混合物からなる群から選択される界面活性剤、
を含む方法が開示される。
【００１９】
一態様では、Ｐは、
（ｉ）ポリエチレンイミン、
（ｉｉ）置換ポリエチレンイミン、
（ｉｉｉ）Ｎ，Ｎ−ジアルキルアミノアルキルアクリレート、Ｎ，Ｎ−ジアルキルアミノアルキルメタクリレート、Ｎ，Ｎ−ジアルキルアミノアルキルアクリルアミド、Ｎ，Ｎ−ジアルキルアミノアルキルメタクリルアミド、四級化Ｎ，Ｎジアルキルアミノアルキルアクリレート、四級化Ｎ，Ｎ−ジアルキルアミノアルキルメタクリレート、四級化Ｎ，Ｎ−ジアルキルアミノアルキルアクリルアミド、四級化Ｎ，Ｎ−ジアルキルアミノアルキルメタクリルアミド、メタクリルアミドプロピル−ペンタメチル−１，３−プロピレン−２−オール−アンモニウムジクロリド、Ｎ，Ｎ，Ｎ，Ｎ’，Ｎ’，Ｎ’’，Ｎ’’−ヘプタメチル−Ｎ’’−３−（１−オキソ−２−メチル−２−プロペニル）アミノプロピル−９−オキソ−８−アゾ−デカン−１，４，１０−トリアンモニウムトリクロリド、ビニルアミン、アリルアミン、ビニルイミダゾール、四級化ビニルイミダゾール、ジアリルジアルキルアンモニウムクロリド、及びこれらの混合物からなる群から選択されるモノマー残基を含む合成ポリマー、からなる群から選択される。
【００２０】
一態様では、Ｐは、ランダムコポリマーの総重量に基づき、ジアリルジアルキルアンモニウムクロリド、Ｎ−ビニルピロリドン、グリシジルメタクリレート、アクリルアミド、Ｎ−アルキルアクリルアミド、及びこれらの混合物からなる群から選択されるモノマー残基を含むランダムコポリマーである。
【００２１】
一態様では、請求項３に記載の布地及びホームケア組成物であって、Ｐがランダムコポリマーであり、該Ｐが、ランダムコポリマーの総重量に基づき、
（ｉ）約０重量％〜約８０重量％、約５重量％〜約７０重量％、又は約１０重量％〜約６０重量％のＮ−ビニルピロリドン残基、
（ｉｉ）約０．０１重量％〜約２０重量％、約０．０５重量％〜約１５重量％、又は約０．５重量％〜約１０重量％のグリシジルメタクリレート残基、
（ｉｉｉ）約５重量％〜約９５重量％、約１０重量％〜約９０重量％、又は約１５重量％〜約７０重量％のジアリルジメチルアンモニウムクロリド残基、
（ｉｖ）約５重量％〜約９５重量％、約１０重量％〜約９０重量％、又は約１５重量％〜約７０重量％のアクリルアミド残基、
（ｖ）約５重量％〜約９５重量％、好ましくは約１０重量％〜約９０重量％、又は約１５重量％〜約７０重量％のＮ−アルキルアクリルアミド残基、並びに
（ｖｉ）（ｉ）〜（ｖ）の組み合わせ、を含み、
但し、前記残基の総計は１００％を超過しないランダムコポリマーである、請求項３に記載の布地及びホームケア組成物。
【００２２】
一態様では、前記疎水変性カチオン性ポリマーは、外側表面を有するコアと１つ以上の層化材料を含む粒子の少なくとも一部分上に配置された層化材料であり、前記粒子は、約０．０２μｍ〜約５００μｍ、約０．０４μｍ〜２５０μｍ、約０．０８μｍ〜約１００μｍ、又は約０．２０μｍ〜約６０μｍの粒径を有する。
【００２３】
一態様では、前記疎水変性カチオン性ポリマーは、前記粒子の前記コアの外側表面上に配置される。
【００２４】
したがって、前記粒子及び前記粒子を含む組成物が開示される。
【００２５】
一態様では、前記組成物は、布地及びホームケア組成物である。
【００２６】
一態様では、布地及びホームケア組成物は、有益剤と疎水変性カチオン性ポリマーの比が約４０：１〜約５：１、約３５：１〜約７：１、約３０：１〜約１０：１、約２０：１〜約１５：１となるように有益剤を含む。
【００２７】
一態様では、前記有益剤は、シリコーン、ビニルポリマー、ポリエーテル、炭化水素ワックスを含む物質、液体炭化水素、流体糖ポリエステル、流体糖ポリエーテル、香料原材料、香料送達系、シリコーンオイル、ワックス、炭化水素、高級脂肪酸、精油、脂質、皮膚清涼化剤、ビタミン、日焼け止め剤、抗酸化物質、グリセリン、触媒、漂白粒子、二酸化ケイ素粒子、悪臭減少剤、臭気調節剤、キレート化剤、静電気防止剤、柔軟剤、虫忌避剤及び防虫剤、着色剤、抗酸化物質、キレート剤、増粘剤、ドレープ及び形状調節剤、平滑剤、しわ調節剤、殺菌剤、消毒剤、細菌制御剤、カビ制御剤、うどん粉菌制御剤、抗ウイルス剤、乾燥剤、耐汚染剤、汚れ放出剤、布地リフレッシング剤及び洗いあがり感延長剤、塩素漂白悪臭調節剤、染料固着剤、移染阻害剤、色調維持剤、光学的増白剤、色調回復／再生剤、抗退色剤、増白剤、抗摩擦剤、着用耐性剤、布地一体化剤、抗着用剤、抗ピリング剤、脱泡剤、抗起泡剤、紫外線保護剤、日褪せ阻害剤、抗アレルギー剤、酵素、撥水剤、布地色調剤、布地快適剤、防縮剤、伸張耐性剤、伸張回復剤、皮膚ケア剤、グリセリン、及び天然活性剤、抗菌活性剤、制汗剤、カチオン性ポリマー、染料、及びこれらの混合物からなる群から選択される。
【００２８】
一態様では、前記有益剤は、シリコーンを含む。
【００２９】
一態様では、前記シリコーンは、約１Ｅ−５ｍ２／ｓ〜約２ｍ２／ｓ（１０センチストークス（ｃＳｔ）〜約２，０００，０００ｃＳｔ）、約５Ｅ−５ｍ２／ｓ〜約１ｍ２／ｓ（５０ｃＳｔ〜約１，０００，０００ｃＳｔ）、約０．０００５ｍ２／ｓ〜約０．１ｍ２／ｓ（５００ｃＳｔ〜約１００，０００ｃＳｔ）、又は約０．０００７５ｍ２／ｓ〜約０．００１ｍ２／ｓ（７５０ｃＳｔ〜約１０００ｃＳｔ）の粘度を有する。
【００３０】
一態様では、前記シリコーンは有機官能性シリコーンを含む。
【００３１】
一態様では、前記有機官能性シリコーンは、構造
［Ｒ１Ｒ２Ｒ３ＳｉＯ１／２］（ｊ＋２）［Ｒ４Ｓｉ（Ｘ−Ｚ）Ｏ２／２］ｋ［Ｒ４Ｒ４ＳｉＯ２／２］ｍ［Ｒ４ＳｉＯ３／２］ｊ
を有する（式中、
ｊは０〜約９８の整数であり、一態様では、ｊは０〜約４８の整数であり、一態様では、ｊは０であり、
ｋは０〜約２００の整数であり、一態様では、ｋは０〜約５０の整数であり、ｋが０であるとき、Ｒ１、Ｒ２又はＲ３のうち少なくとも１つは−Ｘ−Ｚであり、
ｍは４〜約５，０００の整数であり、一態様では、ｍは約１０〜約４，０００の整数であり、別の態様では、ｍは約５０〜約２，０００の整数であり、
Ｒ１、Ｒ２及びＲ３は、それぞれ独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ、及びＸ−Ｚからなる群から選択され、
各Ｒ４は、独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、及びＣ１〜Ｃ３２置換アルコキシからなる群から選択され、
各Ｘ−Ｚに関し、
Ｘは炭素原子を２〜１２個含む二価アルキレンラジカルを含み、
このようなオルガノシロキサン中、少なくとも１つのＺは、Ｒ５、
【００３２】
【化４】
2015531008.tif 000005
からなる群から選択され、
このようなオルガノシリコーン中、各追加のＺは、独立してＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｒ５、
【００３３】
【化５】
2015531008.tif 000006
からなる群から選択され、
各Ｒ５は、独立してＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール又はＣ６〜Ｃ３２アルキルアリール、又はＣ６〜Ｃ３２置換アルキルアリール、−（ＣＨＲ６−ＣＨＲ６−Ｏ−）ｗ−ＣＨＲ６−ＣＨＲ６−Ｌ及びシロキシル残基からなる群から選択され、
ｗは０〜約５００の整数であり、一態様では、ｗは０〜約２００の整数であり、一態様では、ｗは０〜約５０の整数であり、
各Ｒ６が、Ｈ又はＣ１〜Ｃ１８アルキルから独立して選択され、
各Ｌが、独立して−Ｏ−Ｃ（Ｏ）−Ｒ７又は−Ｏ−Ｒ７、
【００３４】
【化６】
2015531008.tif 000007
から選択され、
各Ｒ７は、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、及びＣ６〜Ｃ３２置換アリール、並びにシロキシル残基からなる群から選択され、
各Ｔは、独立して、Ｈ、
【００３５】
【化７】
2015531008.tif 000008
から選択され、前記オルガノシリコーン中、各ｖは１〜約１０の整数であり、一態様では、ｖは１〜約５の整数であり、前記オルガノシリコーンの各Ｚにおけるすべてのｖの合計は、１〜約３０又は１〜約２０又は１〜約１０の整数であり、但し、分子中のＴ部分の合計は６を超過しない）。
【００３６】
一態様では、前記合成ポリマーは、エチレン性不飽和モノマー残基を含む。
【００３７】
一態様では、前記エチレン性不飽和モノマーは、アクリルアミド、Ｎ，Ｎ−ジアルキルアクリルアミド、メタクリルアミド、Ｎ，Ｎ−ジアルキルメタクリルアミド、Ｃ１〜Ｃ１２アルキルアクリレート、Ｃ１〜Ｃ１２ヒドロキシアルキルアクリレート、ポリアルキレングリオールアクリレート、Ｃ１〜Ｃ１２アルキルメタクリレート、Ｃ１〜Ｃ１２ヒドロキシアルキルメタクリレート、ポリアルキレングリコールメタクリレート、酢酸ビニル、ビニルアルコール、ビニルホルムアミド、ビニルアセトアミド、ビニルアルキルエーテル、ビニルピリジン、ビニルピロリドン、ビニルモルホリン、アクリロイルモルホリン、アクリル酸、メタクリル酸、マレイン酸、ビニルスルホン酸、スチレンスルホン酸、アクリルアミドプロピルメタンスルホン酸、アクリル酸塩、メタクリル酸塩、マレイン酸塩、ビニルスルホン酸塩、スチレンスルホン酸塩、アクリルアミドプロピルメタンスルホン酸塩、エステル化アクリル酸、エステル化メタクリル酸、エステル化マレイン酸、エステル化ビニルスルホン酸、エステル化スチレンスルホン酸、エステル化アクリルアミドプロピルメタンスルホン酸、アミド化アクリル酸、アミド化メタクリル酸、アミド化マレイン酸、アミド化ビニルスルホン酸、アミド化スチレンスルホン酸、アミド化アクリルアミドプロピルメタンスルホン酸、エチレングリコールジアクリレート、ジビニルベンゼン、ブタジエン、及びこれらの混合物からなる群から選択される。一態様では、前記布地及びホームケア組成物は、前記有益剤に加えて１つ以上の添加剤を含み、前記添加剤は、漂白剤、漂白活性剤、界面活性剤、ビルダー、キレート化剤、移染防止剤、分散剤、酵素、酵素安定化剤、触媒金属錯体、ポリマー、ポリマー分散剤、粘土及び汚れ除去／再付着防止剤、増白剤、抑泡剤、染料、香料、香料送達系、構造弾性化剤、布地柔軟剤、基剤、ヒドロトロープ、溶媒、加工助剤、及び顔料からなる群から選択される。
【００３８】
一態様では、部位を処理する方法は、所望により、部位を洗浄及び／乾燥させる工程、部位を、本明細書で開示される任意の布地及びホームケア組成物による組成物と接触させる工程、その後、所望により前記部位を洗浄及び／乾燥する工程を含む。
【００３９】
一態様では、約０．０２μｍ〜約５００μｍ、約０．０４μｍ〜２５０μｍ、約０．０８μｍ〜約１００μｍ、又は約０．２０μｍ〜約６０μｍの粒径を有する粒子であって、前記粒子は、コアと、前記コアの外面の少なくとも一部分上に配置された層化材料とを含み、
ａ）前記コアは第１の有益剤を含み、
ｂ）前記層化材料は疎水変性カチオン性ポリマーを含み、前記疎水変性カチオン性ポリマーは、式
ＰｒＳｘ
（式中、ｒは約１０〜約１０，０００の数であり、Ｓは疎水性部分であり、指数ｘは約１〜約ｒ／１０に等しい数であり、Ｐは
（ｉ）ポリアミン、一態様では、ポリエチレンイミン、
（ｉｉ）アクリルアミドモノマーと、中性、カチオン性、及び／又はアニオン性ビニルモノマーとを含むコポリマー、
（ｉｉｉ）ポリビニルホルムアミド（一態様では、このようなポリビニルホルムアミドは部分加水分解又は完全加水分解され得る）、
（ｉｖ）ビニルホルムアミドと、中性、カチオン性、及び／又はアニオン性ビニルモノマーとを含むコポリマー（一態様では、前記ビニルホルムアミドは、部分的に又は完全に加水分解され得る）、
（ｖ）ビニルピロリドンと、中性、カチオン性、及び／又はアニオン性ビニルモノマーとを含むコポリマー、
（ｖｉ）アミン−エピクロロヒドリンポリマー（一態様では、前記アミン−エピクロロヒドリンポリマーは化学的に変性され得る）、
（ｖｉｉ）ビニルイミダゾールと、中性、カチオン性、及び／又はアニオン性ビニルモノマーとを含むコポリマー（一態様では、前記ビニルイミダゾールは四級化される）、
（ｖｉｉｉ）ジアリルジメチルアンモニウムクロリドと、中性、カチオン性、及び／又はアニオン性ビニルモノマーとを含むコポリマー、
（ｉｘ）メタクリロイルプロピルトリメチルアンモニウムクロリドと、中性、カチオン性、及び／又はアニオン性ビニルモノマーとを含むコポリマー、
（ｘ）アクリロイルプロピルトリメチルアンモニウムクロリドと、中性、カチオン性、及び／又はアニオン性ビニルモノマーとを含むコポリマー、
（ｘｉ）（３−メタクリルアミドプロピル）トリメチルアンモニウムクロリドと、中性、カチオン性、及び／又はアニオン性ビニルモノマーとを含むコポリマー、
及び
（ｘｉｉ）これらの混合物、からなる群から選択され、
Ｓは式
ＪｑＷを有し、
式中、
指数ｑは０又は１であり、
各Ｊは、独立して
【００４０】
【化８】
2015531008.tif 000009
（ＣＨ２ＣＨ２Ｏ）−、−Ｃ（Ｏ）Ｏ−、−Ｃ（Ｏ）−、−Ｏ−（Ｏ）Ｃ−、−ＮＲ−Ｃ（Ｏ）−、−Ｃ（Ｏ）−ＮＲ−からなる群から選択され、式中、Ｒは水素又はメチルであり、
Ｊが０であるとき、各Ｗは、Ｃ４−〜Ｃ２６−アルキル、Ｃ４−〜Ｃ２６−アルケニル、Ｃ４−〜Ｃ２６−ヒドロキシアルキル、Ｃ４−〜Ｃ２６−ヒドロキシアルケニル、Ｃ４−〜Ｃ２６−アルキルカルボキシル、Ｃ４−〜Ｃ２６−アリール、ポリイソブチレン、シリコーンポリマー、からなる群から選択される部分のうちの１つを含み、一態様では、前記シリコーンポリマーは、ポリジメチルシロキサン、シリコーンポリエーテル、アミノシリコーンを含み、Ｊが１であるとき、各Ｗは、Ｃ１−〜Ｃ２６−アルキル、Ｃ１−〜Ｃ２６−アルケニル、Ｃ１−〜Ｃ２６−ヒドロキシアルキル、Ｃ１−〜Ｃ２６−ヒドロキシアルケニル、Ｃ１−〜Ｃ２６−アルキルカルボキシル、Ｃ１−〜Ｃ２６−アリール、ポリイソブチレン、ポリプロピレン、ポリプロピレンオキシド、プロピレンオキシド、シリコーンポリマーからなる群から選択される部分のうちの１つを含み、一態様では、前記シリコーンポリマーは、ポリジメチルシロキサン、シリコーンポリエーテル、アミノシリコーンを含み、一態様では、前記アミノシリコーンは、式
［Ｒ１Ｒ２Ｒ３ＳｉＯ１／２］（ｊ＋２）［Ｒ４Ｓｉ（Ｘ−Ｋ）Ｏ２／２］ｋ［Ｒ４Ｒ４ＳｉＯ２／２］ｍ［Ｒ４ＳｉＯ３／２］ｊを有し、
式中、
ｊは０〜約９８の数であり、一態様では、ｊは０〜約４８の数であり、一態様では、ｊは０であり、
ｋは０〜約２００の整数であり、一態様では、ｋは０〜約５０の整数であり、ｋが０であるとき、Ｒ１、Ｒ２、又はＲ３のうちの少なくとも１つは−Ｘ−Ｋであり、
ｍは４〜約５，０００の数であり、一態様では、ｍは約１０〜約４，０００の数であり、別の態様では、ｍは約５０〜約２，０００の数であり、
Ｒ１、Ｒ２及びＲ３はそれぞれ独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ、２〜１２個の炭素原子を含む二価アルキレンラジカルであり、及びＸ−Ｋからなる群から選択され、但し、ｋが０であるとき、Ｒ１、Ｒ２又はＲ３のうちの少なくとも１つは−Ｘ−Ｋであり、
各Ｒ４は、独立してＨ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ、及び２〜１２個の炭素原子を含む二価アルキレンラジカルからなる群から選択され、
但し、前記Ｒ１、Ｒ２、Ｒ３及びＲ４部分のうちの少なくとも１つ、但し５個以下は、２〜１２個の炭素原子を含む二価アルキレンラジカルであり、
各Ｘ−Ｋに関し、
Ｘは、２〜１２個の炭素原子を含む二価アルキレンラジカルを含み、一態様では、前記二価アルキレンラジカルの各々は、独立して−（ＣＨ２）ｓ−からなる群から選択され、ｓは約２〜約８の整数であり、一態様では、ｓは約２〜約４の整数であり、
各Ｋは、
【００４１】
【化９】
2015531008.tif 000010
からなる群から独立して選択され、
但し、Ｋが四級であるとき、Ｑがアミド、イミン、又は尿素部分となることはなく、Ｑがアミド、イミン、又は尿素部分である場合、任意の追加のＱは、前記アミド、イミン又は尿素部分として同じ窒素に結合し、Ｈ又はＣ１〜Ｃ６アルキルでなければならず、一態様では、前記追加のＱはＨであり、
Ｘは上記に定義される通りのものであり、
Ｋ中に存在するとき、各指数ｎは１〜４の整数であり、
Ａは電荷のバランスをとる好適なアニオンである。一態様では、Ａは、Ｃｌ−、Ｂｒ−、Ｉ−、メチルスルフェート、トルエンスルホネート、カルボキシラート及びホスフェートからなる群から選択され、前記オルガノシリコーン中少なくとも１つのＱは、独立してＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、−ＣＨ２−ＣＨ（ＯＨ）−ＣＨ２−Ｒ５からなる群から選択され、
式中、各Ｒ５は、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、−（ＣＨＲ６−ＣＨＲ６−Ｏ−）ｗ−Ｌ、及びシロキシル残基からなる群から選択され、
各Ｒ６は、独立して、Ｈ、Ｃ１〜Ｃ１８アルキルから選択され、
各Ｌは、独立して−Ｃ（Ｏ）−Ｒ７又はＲ７から選択され、各Ｒ７は、独立してＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール及びシロキシル残基からなる群から選択され、
ｗは０〜約５００の整数、一態様では、ｗは約１〜約２００の整数、一態様では、ｗは約１〜約５０の整数である）、
ｃ）有益剤と層化材料の比は、約５０００：１〜約１：１、約２５００：１〜約５：１、約１０００：１〜約５：１、約２００：１〜約５：１、約１００：１〜約１０：１となり、
ｄ）所望により、界面活性剤はアニオン性界面活性剤、カチオン性界面活性剤、非イオン性界面活性剤、両性界面活性剤、及びこれらの混合物からなる群から選択され、並びに
ｅ）所望により、第２の有益剤は粘土、金属酸化物、シリコーン、マイクロカプセル、ナノラテックス、及びこれらの混合物からなる群から選択される、
を含む方法が開示される。
【００４２】
前記粒子の一態様では、前記第１の有益剤は、シリコーン、ビニルポリマー、ポリエーテル、炭化水素ワックスを含む材料、液体炭化水素、流体糖ポリエステル、流体糖ポリエーテル、及びこれらの混合物からなる群から選択される材料を含む。
前記粒子の一態様では、
ａ）前記シリコーンはオルガノシリコーンを含み、
ｂ）前記ビニルポリマーは、
（ｉ）水素化又は非水素化ポリイソプレン、
（ｉｉ）スチレン、アクリロニトリル、及びアクリレートからなる群から選択される１種以上のモノマーを含む水素化又は非水素化ポリイソプレン、
（ｉｉｉ）水素化又は非水素化ポリイソブチレン、
（ｉｖ）スチレン、アクリロニトリル、及びアクリレートからなる群から選択される１種以上のモノマーを含む水素化又は非水素化ポリイソブチレン、
（ｖ）水素化又は非水素化ポリブタジエン、
（ｖｉ）スチレン、アクリロニトリル、及びアクリレートからなる群から選択される１種以上のモノマーを含む水素化又は非水素化ポリブタジエン、
（ｖｉｉ）イソプレン、並びにスチレン、アクリロニトリル、及びアクリレートからなる群から選択される１種以上のモノマーを含むポリイソプレン、イソブチレン、並びにスチレン、アクリロニトリル、及びアクリレートからなる群から選択される１種以上のモノマーを含むポリイソブチレン、ブタジエン、並びにスチレン、アクリロニトリル、及びアクリレートからなる群から選択される１種以上のモノマーを含むポリブタジエンからなる群から選択される、少なくとも２種又は少なくとも３種の材料を含む水素化又は非水素化コポリマー、
（ｖｉｉｉ）アクリレートポリマー、
（ｉｘ）メタクリレートポリマー、
（ｘ）少なくとも２種又は少なくとも３種の異なるアクリレート及び／又はメタクリレートモノマーを含む、アクリレートコポリマー、
（ｘｉ）無電荷であるか、又はカチオン性若しくはアニオン性からなる群から選択される実効電荷を有する、変性ポリイソブテン化合物、からなる群から選択され、
ｃ）前記ポリエーテルは、エチレンオキシド、プロピレンオキシド、ブチレンオキシド、及びこれらの混合物からなる群から選択される材料を含み、
ｄ）前記炭化水素ワックスを含む材料は、液体炭化水素、シリコーン、及びこれらの混合物からなる群から選択される材料を含み、
ｅ）前記液体炭化水素は、１つ以上のＣ５〜Ｃ１００アルカンを含み、
ｆ）前記流体糖ポリエステルは環式ポリオール及び／又は還元糖を含み、
一態様では、前記環式ポリオール及び／又は還元糖のヒドロキシル部分のうちの約３３〜約１００％はエステル化されており、一態様では、前記エステル部分のうち２つ以上は、独立して、アルキル又はアルケニル鎖に結合しており、一態様では、前記アルキル又はアルケニル鎖は、前記タロー脂肪酸及び／又はオレイル脂肪酸混合物を少なくとも５０重量％含む脂肪酸混合物に由来し得るものであり、一態様では、前記脂肪酸混合物は、タロー脂肪酸及びオレイル脂肪酸の混合物を、１０：９０〜９０：１０又は２５：７５〜７５：２５のタロー脂肪酸：オレイル脂肪酸重量比で含み、一態様では、前記脂肪酸混合物はタロー脂肪酸及びオレイル脂肪酸のみを含有し、
ｇ）前記流体糖ポリエーテルは環式ポリオール及び／又は還元糖を含み、
一態様では、前記環式ポリオール及び／又は還元糖のヒドロキシル部分のうち約３３〜約１００％はエーテル化されており、一態様では、前記エーテル部分のうち２つ以上は、独立して、アルキル又はアルケニル鎖に結合しており、一態様では、前記アルキル又はアルケニル鎖は、前記タロー脂肪族アルコール及び／又はオレイル脂肪族アルコールの混合物を少なくとも５０重量％含む脂肪族アルコール混合物に由来し得るものであり、一態様では、前記脂肪族アルコール混合物は、タロー脂肪族アルコール及びオレイル脂肪族アルコールの混合物を、１０：９０〜９０：１０又は２５：７５〜７５：２５のタロー脂肪酸：オレイル脂肪族アルコール重量比で含み、一態様では、前記脂肪族アルコール混合物は、タロー脂肪族アルコール及びオレイル脂肪族アルコールのみを含有する。
【００４３】
前記粒子の一態様では、
ａ）前記シリコーンは、約１０００ダルトン〜約１，０００，０００ダルトン、約１５００ダルトン〜約３００，０００ダルトン、約２０００ダルトン〜約１００，０００ダルトン、又は約３０００ダルトン〜約４０，０００ダルトンの重量平均分子量を有し、
ｂ）前記ビニルポリマーは、約１０００ダルトン〜約１，０００，０００ダルトン、約１５００ダルトン〜約３００，０００ダルトン、約２０００ダルトン〜約１００，０００ダルトン、又は約３０００ダルトン〜約４０，０００ダルトンの重量平均分子量を有し、並びに
ｃ）前記ポリエーテルは、約１０００ダルトン〜約１，０００，０００ダルトン、約１５００ダルトン〜約３００，０００ダルトン、約２０００ダルトン〜約１００，０００ダルトン、又は約３０００ダルトン〜約４０，０００ダルトンの重量平均分子量を有する。
【００４４】
前記粒子の一態様では、
ａ）前記シリコーンはオルガノシリコーンを含み、
ｂ）前記ビニルポリマーは、
（ｉ）水素化又は非水素化ポリイソプレン、
（ｉｉ）スチレン、アクリロニトリル、及びアクリレートからなる群から選択される１種以上のモノマーを含む水素化又は非水素化ポリイソプレン、
（ｉｉｉ）水素化又は非水素化ポリイソブチレン、
（ｉｖ）スチレン、アクリロニトリル、及びアクリレートからなる群から選択される１種以上のモノマーを含む水素化又は非水素化ポリイソブチレン、
（ｖ）水素化又は非水素化ポリブタジエン、
（ｖｉ）スチレン、アクリロニトリル、及びアクリレートからなる群から選択される１種以上のモノマーを含む水素化又は非水素化ポリブタジエン、
（ｖｉｉ）イソプレン、並びにスチレン、アクリロニトリル、及びアクリレートからなる群から選択される１種以上のモノマーを含むポリイソプレン、イソブチレン、並びにスチレン、アクリロニトリル、及びアクリレートからなる群から選択される１種以上のモノマーを含むポリイソブチレン、ブタジエン、並びにスチレン、アクリロニトリル、及びアクリレートからなる群から選択される１種以上のモノマーを含むポリブタジエンからなる群から選択される、少なくとも２種又は少なくとも３種の材料を含む水素化又は非水素化コポリマー、
（ｖｉｉｉ）アクリレートポリマー、
（ｉｘ）メタクリレートポリマー、
（ｘ）少なくとも２種又は少なくとも３種の異なるアクリレート及び／又はメタクリレートモノマーを含む、アクリレートコポリマー、
（ｘｉ）無電荷であるか、又はカチオン性若しくはアニオン性からなる群から選択される実効電荷を有する、変性ポリイソブテン化合物、からなる群から選択され、
ｃ）前記ポリエーテルは、エチレンオキシド、プロピレンオキシド、ブチレンオキシド、及びこれらの混合物からなる群から選択される材料を含む。
【００４５】
前記粒子の一態様では、
ａ）前記シリコーンは、ポリジメチルシロキサン、アミノシリコーン、カチオン性シリコーン、シリコーンポリエーテル、環式シリコーン、シリコーン樹脂、官能化シリコーン、及びこれらの混合物からなる群から選択される物質を含み、
ｂ）前記ビニルポリマーは、イソプレン−イソブチレンコポリマー、カルボキシラート化アクリロニトリルブタジエンコポリマー、スチレン−イソプレンコポリマー、スチレン−ブタジエンブロックコポリマー、及びこれらの混合物からなる群から選択される材料を含み、
ｃ）前記ポリエーテルは、ポリエチレンオキシド、ポリプロピレンオキシド、ポリアルキルオキシラン、及びこれらの混合物からなる群から選択される材料を含み、
ｄ）前記炭化水素ワックスを含む材料は、ペトロラタム、微結晶性ワックス、パラフィンワックス、蜜蝋、虫白蝋、ラノリン、鯨蝋、ヤマモモワックス、マイリカ・ファヤ（Myrica faya）、キャンデリラワックス、カルナバワックス、カルナウバヤシ（Copernica cerifera）、キャスターワックス、エスパルトワックス、和蝋、ホホバ油、ホホバ（Simmondsia chinensis）、Ｏｕｒｉｃｕｒｙワックス、シアグルス・コロナタ（Syagrus coronata）、コメヌカワックス、大豆ワックス、セレシンワックス、モンタノア（Montan）ワックス、地蝋、ピートワックス、ポリエチレンワックス、フィッシャー・トロプシュワックス、アミド置換ワックス、重合α−オレフィン、及びこれらの混合物から選択される材料を含み、並びに
ｅ）前記液体炭化水素は、鉱物油、非晶質重合α−オレフィン、及びこれらの混合物からなる群から選択される物質を含む。
【００４６】
前記粒子の一態様では、
ａ）前記ポリジメチルシロキサンは、１Ｅ−５ｍ２／ｓ）〜約２ｍ２／ｓ（１０センチストークス（ｃＳｔ）〜約２，０００，０００ｃＳｔ）、約５Ｅ−５ｍ２／ｓ〜約１ｍ２／ｓ（５０ｃＳｔ〜約１，０００，０００ｃＳｔ）、約０．０００５ｍ２／ｓ〜約０．１ｍ２／ｓ（５００ｃＳｔ〜約１００，０００ｃＳｔ）、又は約０．０００７５ｍ２／ｓ〜約０．００１ｍ２／ｓ（７５０ｃＳｔ〜約１０００ｃＳｔ）の粘度を有し、
ｂ）前記アミノシリコーンは、約０．０００１ｍ２／ｓ〜約０．３ｍ２／ｓ（１００ｃＳｔ〜約３００，０００ｃＳｔ）、約０．０００５ｍ２／ｓ〜約０．２ｍ２／ｓ（５００ｃＳｔ〜約２００，０００ｃＳｔ）、約０．０００７５ｍ２／ｓ〜約０．０５ｍ２／ｓ（７５０ｃＳｔ〜約５０，０００ｃＳｔ）、又は約０．００１ｍ２／ｓ〜約０．０００５ｍ２／ｓ（１０００ｃＳｔ〜約５０００ｃＳｔ）の粘度を有し、
ｃ）前記カチオン性シリコーンは、約０．０００１ｍ２／ｓ〜約１ｍ２／ｓ（１００ｃＳｔ〜約１，０００，０００ｃＳｔ）、約０．０００５ｍ２／ｓ〜約０．５ｍ２／ｓ（５００ｃＳｔ〜約５００，０００ｃＳｔ）、約０．０００７５ｍ２／ｓ〜約０．０５ｍ２／ｓ（７５０ｃＳｔ〜約５０，０００ｃＳｔ）、又は約０．００１ｍ２／ｓ〜約０．００５ｍ２／ｓ（１０００ｃＳｔ〜約５０００ｃＳｔ）の粘度を有し、
ｄ）前記シリコーンポリエーテルは、約０．０００１ｍ２／ｓ〜約１ｍ２／ｓ（１００ｃＳｔ〜約１，０００，０００ｃＳｔ）、約０．０００５〜約０．５ｍ２／ｓ（５００ｃＳｔ〜約５００，０００ｃＳｔ）、約０．０００７５ｍ２／ｓ〜約０．０５ｍ２／ｓ（７５０ｃＳｔ〜約５０，０００ｃＳｔ）、又は約０．００１ｍ２／ｓ〜約０．００５ｍ２／ｓ（１０００ｃＳｔ〜約５０００ｃＳｔ）の粘度を有し、
ｅ）前記環状シリコーンは約１Ｅ−５ｍｍ２／ｓ〜約０．０１ｍ２／ｓ（１０ｃＳｔ〜約１０，０００ｃＳｔ）、約５Ｅ−５ｍ２／ｓ〜約０．００１ｍ２／ｓ（５０ｃＳｔ〜約５，０００ｃＳｔ）、約０．０００１ｍ２／ｓ〜約０．００２ｍ２／ｓ（１００ｃＳｔ〜約２，０００ｃＳｔ）、又は約０．０００２ｍ２／ｓ〜約０．００１ｍ２／ｓ（２００ｃＳｔ〜約１０００ｃＳｔ）の粘度を有し、
ｆ）前記シリコーン樹脂は、約１Ｅ−５ｍｍ２／ｓ〜約０．０１ｍ２／ｓ（１０ｃＳｔ〜約１０，０００ｃＳｔ）、約５Ｅ−５ｍ２／ｓ〜約０．００５ｍ２／ｓ（５０ｃＳｔ〜約５，０００ｃＳｔ）、約０．０００１ｍ２／ｓ〜約０．００２ｍ２／ｓ（１００ｃＳｔ〜約２，０００ｃＳｔ）、又は約０．０００２ｍ２／ｓ〜約０．００１ｍ２／ｓ（２００ｃＳｔ〜約１０００ｃＳｔ）の粘度を有し、
ｇ）前記フッ素化シリコーンは、約０．０００１ｍ２／ｓ〜約０．３ｍ２／ｓ（１００ｃＳｔ〜約３００，０００ｃＳｔ）、約０．０００５ｍ２／ｓ〜約０．２ｍ２／ｓ（５００ｃＳｔ〜約２００，０００ｃＳｔ）、約０．０００７５ｍ２／ｓ〜約０．０５ｍ２／ｓ（７５０ｃＳｔ〜約５０，０００ｃＳｔ）、又は約０．００１ｍ２／ｓ〜約０．００５ｍ２／ｓ（１０００ｃＳｔ〜約５０００ｃＳｔ）の粘度を有する。
【００４７】
前記粒子の一態様では、シリコーンは、式、
［Ｒ１Ｒ２Ｒ３ＳｉＯ１／２］（ｊ＋２）［（Ｒ４Ｓｉ（Ｘ−Ｚ）Ｏ２／２］ｋ［Ｒ４Ｒ４ＳｉＯ２／２］ｍ［Ｒ４ＳｉＯ３／２］ｊを有し、
（式中、
ｊは０〜約９８の整数であり、一態様では、ｊは０〜約４８の整数であり、一態様では、ｊは０であり、
ｋは０〜約２００の整数であり、一態様では、ｋは０〜約５０の整数であり、ｋが０であるとき、Ｒ１、Ｒ２又はＲ３のうち少なくとも１つは−Ｘ−Ｚであり、
ｍは４〜約５，０００の整数であり、一態様では、ｍは約１０〜約４，０００の整数であり、別の態様では、ｍは約５０〜約２，０００の整数であり、
Ｒ１、Ｒ２及びＲ３は、それぞれ独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ、及びＸ−Ｚからなる群から選択され、
各Ｒ４は、独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、及びＣ１〜Ｃ３２置換アルコキシからなる群から選択され、
各Ｘ−Ｚに関し、
Ｘは炭素原子を２〜１２個含む二価アルキレンラジカルを含み、
このようなオルガノシロキサン中、少なくとも１つのＺは、Ｒ５、
【００４８】
【化１０】
2015531008.tif 000011
からなる群から選択され、
このようなオルガノシリコーン中、各追加のＺは、独立してＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｒ５、
【００４９】
【化１１】
2015531008.tif 000012
からなる群から選択され、
各Ｒ５は、独立してＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール又はＣ６〜Ｃ３２アルキルアリール、又はＣ６〜Ｃ３２置換アルキルアリール、−（ＣＨＲ６−ＣＨＲ６−Ｏ−）ｗ−ＣＨＲ６−ＣＨＲ６−Ｌ、及びシロキシル残基からなる群から選択され、
ｗは０〜約５００の整数であり、一態様では、ｗは０〜約２００の整数であり、一態様では、ｗは０〜約５０の整数であり、
各Ｒ６は、Ｈ又はＣ１〜Ｃ１８アルキルから独立して選択され、
各Ｌは、−Ｏ−Ｃ（Ｏ）−Ｒ７又は−Ｏ−Ｒ７、
【００５０】
【化１２】
2015531008.tif 000013
から独立して選択され、
各Ｒ７は、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、及びＣ６〜Ｃ３２置換アリール、並びにシロキシル残基からなる群から選択され、
各Ｔは、独立して、Ｈ、
【００５１】
【化１３】
2015531008.tif 000014
から選択され、
前記オルガノシリコーン中、各ｖは１〜約１０の整数であり、一態様では、ｖは１〜約５の整数であり、前記オルガノシリコーンの各Ｚにおけるすべてのｖの合計は、１〜約３０又は１〜約２０又は１〜約１０の整数であり、但し、分子中のＴ部分の合計は６を超過しない）。
【００５２】
前記粒子の一態様では、オルガノシリコーンはペンダントアミノシリコーン及び／又は末端アミノシリコーンを含む。
【００５３】
前記粒子の一態様では、ペンダントアミノシリコーンは、構造
［Ｒ１Ｒ２Ｒ３ＳｉＯ１／２］（ｊ＋２）［Ｒ４Ｓｉ（Ｘ−Ｋ）Ｏ２／２］ｋ［Ｒ４Ｒ４ＳｉＯ２／２］ｍ［Ｒ４ＳｉＯ３／２］ｊを有し、
（式中、
ｊは０〜約９８の整数であり、一態様では、ｊは０〜約４８の整数であり、一態様では、ｊは０であり、
ｋは０〜約２００の整数であり、一態様では、ｋは０〜約５０の整数であり、ｋが０であるとき、Ｒ１、Ｒ２又はＲ３のうちの少なくとも１つは−Ｘ−Ｋであり、
ｍは４〜約５，０００の整数であり、一態様では、ｍは約１０〜約４，０００の整数であり、別の態様では、ｍは約５０〜約２，０００の整数であり、
Ｒ１、Ｒ２及びＲ３は、それぞれ独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ、及びＸ−Ｋからなる群から選択され、
各Ｒ４は、独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、及びＣ１〜Ｃ３２置換アルコキシからなる群から選択され、
各Ｘ−Ｋに関し、
Ｘは２〜１２個の炭素原子を含む二価アルキレンラジカルを含み、一態様では、各二価アルキレンラジカルは、独立して−（ＣＨ２）ｓ−からなる群から選択され、ｓは２〜８の整数であり、又は２〜４の整数であり、
各Ｋは、独立して、
【００５４】
【化１４】
2015531008.tif 000015
からなる群から選択され、
各Ｑは、独立して、Ｈ又はＣ１〜Ｃ３２線状又は分岐状、置換又は非置換炭化水素であり、ただし、Ｋが第四級のとき、Ｑがアミド、イミン、又は尿素部分となることはなく、Ｑがアミド、イミン、又は尿素部分の場合には、前記アミド、イミン、又は尿素部分として同じ窒素に結合する任意の追加のＱは、Ｈ又はＣ１〜Ｃ６アルキルでなければならず、一態様では、かかる追加のＱはＨであり、
Ｘは上記に定義される通りのものであり、
Ｋに関する各指数ｎは、Ｋ中に存在するとき、１〜４の整数であり、
Ａは電荷のバランスをとる好適なアニオンである）。一態様では、Ａは、Ｃｌ−、Ｂｒ−、Ｉ−、メチルスルフェート、トルエンスルホネート、カルボキシラート、及びホスフェートからなる群から選択され、前記オルガノシリコーン中の少なくとも１つのＱは、独立して、
−ＣＨ２−ＣＨ（ＯＨ）−ＣＨ２−Ｒ５、
【００５５】
【化１５】
2015531008.tif 000016
から選択され、
カチオン性に荷電したＫに関し、Ａは、電荷のバランスをとる好適なアニオンであり、一態様では、Ａは、Ｃｌ−、Ｂｒ−、Ｉ−、メチルスルフェート、トルエンスルホネート、カルボキシラート、及びホスフェートからなる群から選択され、
式中、各Ｒ５は、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、−（ＣＨＲ６−ＣＨＲ６−Ｏ−）ｗ−Ｌ、及びシロキシル残基からなる群から選択され、
各Ｒ６は、独立して、Ｈ、Ｃ１〜Ｃ１８アルキルから選択され、
各Ｌは、独立して、−Ｃ（Ｏ）−Ｒ７又はＲ７から選択され、
Ｒ７は、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール及びシロキシル残基からなる群から独立して選択され、
ｗは０〜約５００の整数であり、一態様では、ｗは約１〜約２００の整数であり、一態様では、ｗは約１〜約５０の整数であり、
各Ｔは、独立して、Ｈ、
【００５６】
【化１６】
2015531008.tif 000017
から選択され、
前記オルガノシリコーン中、各ｖは１〜約１０の整数であり、一態様では、ｖは１〜約５の整数であり、前記オルガノシリコーンの各Ｚにおけるすべてのｖの合計は、１〜約３０又は１〜約２０又は１〜約１０の整数であり、但し、分子中のＴ部分の合計は６を超過しない）。
【００５７】
前記粒子の一態様では、ペンダントアミノシリコーンは、約１０００ダルトン〜約１００００００ダルトン、約１００００ダルトン〜約１０００００ダルトン、又は約１５０００ダルトン〜約５００００ダルトンの分子量を有する。
【００５８】
前記粒子の一態様では、Ｓは、ビニルホルムアミド、酢酸ビニル、アルキルアクリレート、アルキルメタクリレート、スチレン、置換スチレン、及びこれらの混合物からなる群から選択されるモノマー残基を含む。
【００５９】
前記粒子の一態様では、Ｐは、線状ポリ（エチレンイミン）、分岐ポリ（エチレンイミン）、線状ポリ（ビニルアミン）、分岐ポリ（ビニルアミン）、線状ポリ（アリルアミン）、分岐ポリ（アリルアミン）、及びポリ（アミドアミン）からなる群から選択されるポリアミンである。
【００６０】
前記粒子の一態様では、ポリアミンは分岐ポリ（エチレンイミン）である。
【００６１】
前記粒子の一態様では、前記分岐ポリ（エチレンイミン）は、約６００ダルトン〜約７５００００ダルトン、約２０００ダルトン〜約５０００００ダルトン、又は約２５０００ダルトン〜約７５０００ダルトンの数平均分子量を有する。
【００６２】
前記粒子の一態様では、Ｐは線状ポリ（ビニルアミン）である。
【００６３】
前記粒子の一態様では、前記線状ポリ（ビニルアミン）は、約１０，０００ダルトン〜約３６００００ダルトン、約１２０００ダルトン〜約２０００００ダルトン、又は約１５０００ダルトン〜約４５０００ダルトンの重量平均分子量を有する。
【００６４】
前記粒子の一態様では、
ａ）Ｐはランダムコポリマーであって、ポリマーの総重量に基づき、
（ｉ）約０重量％〜約８０重量％、約５重量％〜約７０重量％、又は約１０重量％〜約６０重量％のＮ−ビニルピロリドン、
（ｉｉ）約０．０１重量％〜約２０重量％、約０．０５重量％〜約１５重量％、又は約０．５重量％〜約１０重量％のグリシジルメタクリレート、
（ｉｉｉ）約５重量％〜約９５重量％、約１０重量％〜約９０重量％、又は約１５重量％〜約７０重量％のジアリルジメチルアンモニウムクロリド、並びに
（ｉｖ）約５重量％〜約９５重量％、約１０重量％〜約９０重量％、又は約１５重量％〜約７０重量％アクリルアミド、を含み、
ｂ）Ｓは、
（ｉ）Ｃ６〜Ｃ５０アルキル、Ｃ８〜Ｃ４０アルキル、Ｃ１０〜Ｃ２４アルキル、又はＣ１２〜Ｃ１８アルキル、
（ｉｉ）式
［Ｒ１Ｒ２Ｒ３ＳｉＯ１／２］（ｊ＋２）［Ｒ４Ｓｉ（Ｘ−Ｋ）Ｏ２／２］ｋ［Ｒ４Ｒ４ＳｉＯ２／２］ｍ［Ｒ４ＳｉＯ３／２］ｊ
を有する物質、（式中、
ｊは０〜約９８の数であり、一態様では、ｊは０〜約４８の数であり、一態様では、ｊは０であり、
ｋは０〜約２００の整数であり、一態様では、ｋは０〜約５０の整数であり、ｋが０であるとき、Ｒ１、Ｒ２、又はＲ３のうちの少なくとも１つは−Ｘ−Ｋであり、
ｍは４〜約５，０００の数であり、一態様では、ｍは約１０〜約４，０００の数であり、別の態様では、ｍは約５０〜約２，０００の数であり、
Ｒ１、Ｒ２及びＲ３は、それぞれ独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ、２〜１２個の炭素原子を含む二価アルキレンラジカル、及びＸ−Ｋからなる群から選択され、但し、ｋが０である場合、Ｒ１、Ｒ２及びＲ３のうちの少なくとも１つは−Ｘ−Ｋであり、
各Ｒ４は、独立してＨ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ、及び２〜１２個の炭素原子を含む二価アルキレンラジカルからなる群から選択され、
但し、前記Ｒ１、Ｒ２、Ｒ３及びＲ４部分のうちの少なくとも１つ、但し５個以下は、２〜１２個の炭素原子を含む二価アルキレンラジカルであり、
各Ｘ−Ｋに関し、Ｘは、２〜１２個の炭素原子を含む二価アルキレンラジカルを含み、一態様では、前記二価アルキレンラジカルの各々は、独立して−（ＣＨ２）ｓ−からなる群から選択され、ｓは約２〜約８の整数であり、一態様では、ｓは約２〜約４の整数であり、
各Ｋは、独立して、
【００６５】
【化１７】
2015531008.tif 000018
からなる群から選択され、
前記オルガノシリコーン中少なくとも１つのＱは、独立して、
−ＣＨ２−ＣＨ（ＯＨ）−ＣＨ２−Ｒ５、
【００６６】
【化１８】
2015531008.tif 000019
から選択され、
前記オルガノシリコーン中の各追加のＱは、独立してＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、−ＣＨ２−ＣＨ（ＯＨ）−ＣＨ２−Ｒ５からなる群から選択され、
式中、各Ｒ５は、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、−（ＣＨＲ６−ＣＨＲ６−Ｏ−）ｗ−Ｌ、及びシロキシル残基からなる群から選択され、
各Ｒ６は、独立して、Ｈ、Ｃ１〜Ｃ１８アルキルから選択され、
各Ｌは、独立して、−Ｃ（Ｏ）−Ｒ７又はＲ７から選択され、
Ｒ７は、独立してＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、及びシロキシル残基からなる群から選択され、
ｗは０〜約５００の整数であり、一態様では、ｗは約１〜約２００の整数であり、一態様では、ｗは約１〜約５０の整数であり、但し、Ｋが四級であるとき、Ｑがアミド、イミン、又は尿素部分となることはなく、Ｑがアミド、イミン、又は尿素部分である場合には、前記アミド、イミン、又は尿素部分として同じ窒素に結合する任意の追加のＱはＨ又はＣ１〜Ｃ６アルキルでなければならず、一態様では、前記追加のＱはＨであり、
Ｘは上記に定義される通りのものであり、
Ｋに関する各指数ｎは、Ｋ中に存在するとき、１〜４の整数であり、Ａは電荷のバランスをとる好適なアニオンである）からなる群から選択される。一態様では、ＡはＣｌ−、Ｂｒ−、Ｉ−、メチルスルフェート、トルエンスルホネート、カルボキシラート、及びホスフェートからなる群から選択され、
各Ｔは、独立して、Ｈ、
【００６７】
【化１９】
2015531008.tif 000020
から選択され、
前記オルガノシリコーン中、各ｖは１〜約１０の整数であり、一態様では、ｖは１〜約５の整数であり、前記オルガノシリコーンの各Ｚにおけるすべてのｖの合計は、１〜約３０又は１〜約２０又は１〜約１０の整数であり、但し、分子中のＴ部分の合計は６を超過しない。
【００６８】
一態様では、本明細書で開示される任意の粒子と、補助剤成分を含む組成物が開示される。
【００６９】
１つの態様では、この組成物は消費者製品である。
【００７０】
一態様では、前記組成物は、液体洗濯洗剤、液体布地増強剤、顆粒剤及び／又は粉末洗濯洗剤、ヘアコンディショナー、シャンプー、ボディウォッシュ、又はリーブ・オンヘアトリートメントである。一態様では、前記組成物は多用途で使用され得る。例えば、ボディウォッシュはシャンプーとして使用され得る。
【００７１】
一態様では、部位を処理する方法であって、部位を、本明細書で開示される任意の粒子と、及び／又は任意のこのような粒子を含む本明細書で開示される任意の組成物と、接触させる工程を含む方法が開示される。
【００７２】
一態様において、以下：
ａ）高せん断条件下で混合しながら、任意の順番で、有益剤、付着改質剤、及び所望により水を組み合わせて、前記有益剤、付着改質剤、及び所望により水を含む混合物を形成する工程であって、前記混合物が流体であり、一態様では、前記工程ａ）が、約２５℃〜約１５０℃、約３０℃〜約１２５℃、又は約５０℃〜約１００℃の加熱工程を含む、混合物を形成する工程、
ｂ）所望により、有機溶媒を、前記有益剤、付着改質剤、及び所望により水の混合物に加える工程、
ｃ）所望により、前記有益剤、付着改質剤、及び所望により水の混合物を混合しながらｐＨを調整する工程、
ｄ）所望により、前記有益剤、付着改質剤、及び所望により水の混合物に、界面活性剤を加える工程、
ｅ）所望により、前記有益剤、付着改質剤、及び所望により水の混合物に、塩を加える工程、並びに
ｆ）所望により、前記組み合わせを液体に加える工程、
の工程を含む方法が開示される。
【００７３】
疎水変性カチオン性ポリマーを含む組成物及びその使用
一態様では、組成物は、
ａ）疎水変性カチオン性ポリマーであって、式：
ＰｒＳｘ
を有する、疎水変性カチオン性ポリマー
（式中、ｒは約１０〜約１０，０００の数であり、Ｓは疎水性部分であり、指数ｘは約１〜約ｒ／１０に等しい数であり、Ｐは
（ｉ）ポリアミン、一態様では、ポリエチレンイミン、
（ｉｉ）アクリルアミドモノマーと、中性、カチオン性、及び／又はアニオン性ビニルモノマーとを含むコポリマー、
（ｉｉｉ）ポリビニルホルムアミド（一態様では、このようなポリビニルホルムアミドは部分加水分解又は完全加水分解され得る）、
（ｉｖ）ビニルホルムアミドと、中性、カチオン性、及び／又はアニオン性ビニルモノマーとを含むコポリマー（一態様では、前記ビニルホルムアミドは、部分的に又は完全に加水分解され得る）、
（ｖ）ビニルピロリドンと、中性、カチオン性、及び／又はアニオン性ビニルモノマーとを含むコポリマー、
（ｖｉ）アミン−エピクロロヒドリンポリマー（一態様では、前記アミン−エピクロロヒドリンポリマーは化学的に変性され得る）、
（ｖｉｉ）ビニルイミダゾールと、中性、カチオン性、及び／又はアニオン性ビニルモノマーとを含むコポリマー（一態様では、前記ビニルイミダゾールは四級化される）、
（ｖｉｉｉ）ジアリルジメチルアンモニウムクロリドと、中性、カチオン性、及び／又はアニオン性ビニルモノマーとを含むコポリマー、
（ｉｘ）メタクリロイルプロピルトリメチルアンモニウムクロリドと、中性、カチオン性、及び／又はアニオン性ビニルモノマーとを含むコポリマー、
（ｘ）アクリロイルプロピルトリメチルアンモニウムクロリドと、中性、カチオン性、及び／又はアニオン性ビニルモノマーとを含むコポリマー、
（ｘｉ）（３−メタクリルアミドプロピル）トリメチルアンモニウムクロリドと、中性、カチオン性、及び／又はアニオン性ビニルモノマーとを含むコポリマー、
並びに
（ｘｉｉ）これらの混合物、からなる群から選択され、
Ｓは式
ＪｑＷを有し、
式中、
指数ｑは０又は１であり、
各Ｊは、独立して
【００７４】
【化２０】
2015531008.tif 000021
（ＣＨ２ＣＨ２Ｏ）−、−Ｃ（Ｏ）Ｏ−、−Ｃ（Ｏ）−、−Ｏ−（Ｏ）Ｃ−、−ＮＲ−Ｃ（Ｏ）−、−Ｃ（Ｏ）−ＮＲ−からなる群から選択され、Ｒは水素又はメチルであり、
Ｊが０であるとき、各Ｗは、Ｃ４−〜Ｃ２６−アルキル、Ｃ４−〜Ｃ２６−アルケニル、Ｃ４−〜Ｃ２６−ヒドロキシアルキル、Ｃ４−〜Ｃ２６−ヒドロキシアルケニル、Ｃ４−〜Ｃ２６−アルキルカルボキシル、Ｃ４−〜Ｃ２６−アリール、ポリイソブチレン、シリコーンポリマー、からなる群から選択される部分のうちの１つを含み、一態様では、前記シリコーンポリマーは、ポリジメチルシロキサン、シリコーンポリエーテル、アミノシリコーンを含み、Ｊが１であるとき、各Ｗは、Ｃ１−〜Ｃ２６−アルキル、Ｃ１−〜Ｃ２６−アルケニル、Ｃ１−〜Ｃ２６−ヒドロキシアルキル、Ｃ１−〜Ｃ２６−ヒドロキシアルケニル、Ｃ１−〜Ｃ２６−アルキルカルボキシル、Ｃ１−〜Ｃ２６−アリール、ポリイソブチレン、ポリプロピレン、ポリプロピレンオキシド、プロピレンオキシド、シリコーンポリマーからなる群から選択される部分のうちの１つを含み、一態様では、前記シリコーンポリマーは、ポリジメチルシロキサン、シリコーンポリエーテル、アミノシリコーンを含み、一態様では、前記アミノシリコーンは、式
［Ｒ１Ｒ２Ｒ３ＳｉＯ１／２］（ｊ＋２）［Ｒ４Ｓｉ（Ｘ−Ｋ）Ｏ２／２］ｋ［Ｒ４Ｒ４ＳｉＯ２／２］ｍ［Ｒ４ＳｉＯ３／２］ｊ
を有し、式中、
ｊは０〜約９８の数であり、一態様では、ｊは０〜約４８の数であり、一態様では、ｊは０であり、
ｋは０〜約２００の整数であり、一態様では、ｋは０〜約５０の整数であり、ｋが０であるとき、Ｒ１、Ｒ２、又はＲ３のうちの少なくとも１つは−Ｘ−Ｋであり、
ｍは４〜約５，０００の数であり、一態様では、ｍは約１０〜約４，０００の数であり、別の態様では、ｍは約５０〜約２，０００の数であり、
Ｒ１、Ｒ２及びＲ３は、それぞれ独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ、２〜１２個の炭素原子を含む二価アルキレンラジカル、及びＸ−Ｋからなる群から選択され、但し、ｋが０であるとき、Ｒ１、Ｒ２又はＲ３のうちの少なくとも１つは−Ｘ−Ｋであり、並びに
各Ｒ４は、独立してＨ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ及び２〜１２個の炭素原子を含む二価アルキレンラジカルからなる群から選択され、並びに
各Ｘ−Ｋに関し、
Ｘは、２〜１２個の炭素原子を含む二価アルキレンラジカルを含み、一態様では、前記二価アルキレンラジカルの各々は、独立して−（ＣＨ２）ｓ−からなる群から選択され、ｓは約２〜約８の整数であり、一態様では、ｓは約２〜約４の整数であり、
各Ｋが、
【００７５】
【化２１】
2015531008.tif 000022
からなる群から独立して選択され、
但し、Ｋが四級であるとき、Ｑはアミド、イミン、又は尿素部分となることはできず、Ｑがアミド、イミン、又は尿素部分である場合、任意の追加のＱは、前記アミド、イミン又は尿素部分と同一の窒素に結合し、Ｈ又はＣ１〜Ｃ６アルキルでなければならず、一態様では、前記追加のＱはＨであり、
Ｘは上記に定義される通りのものであり、
各指数ｎは、Ｋ中に存在するとき、１〜４の整数であり、Ａは電荷のバランスをとる好適なアニオンである。一態様では、Ａは、Ｃｌ−、Ｂｒ−、Ｉ−、メチルスルフェート、トルエンスルホネート、カルボキシラート及びホスフェートからなる群から選択され、前記オルガノシリコーン中少なくとも１つのＱは、独立してＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、−ＣＨ２−ＣＨ（ＯＨ）−ＣＨ２−Ｒ５からなる群から選択され、
式中、各Ｒ５は、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、−（ＣＨＲ６−ＣＨＲ６−Ｏ−）ｗ−Ｌ、及びシロキシル残基からなる群から選択され、
各Ｒ６は、独立して、Ｈ、Ｃ１〜Ｃ１８アルキルから選択され、
各Ｌは、独立して−Ｃ（Ｏ）−Ｒ７又はＲ７から選択され、各Ｒ７は、独立してＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール及びシロキシル残基からなる群から選択され、
ｗは０〜約５００の整数、一態様では、ｗは約１〜約２００の整数、一態様では、ｗは約１〜約５０の整数である）、
ｂ）所望により、第１有益剤、
ｃ）所望により、アニオン性界面活性剤、カチオン性界面活性剤、非イオン性界面活性剤、両性界面活性剤、及びこれらの混合物からなる群から選択される界面活性剤、並びに
ｄ）所望により、粘土、金属酸化物、シリコーン、マイクロカプセル、ナノラテックス、及びこれらの混合物からなる群から選択される第２の有益剤、
を含む方法が開示される。
【００７６】
このような組成物の一態様では、前記組成物は、第１有益剤と疎水変性カチオン性ポリマーの比が、約４０：１〜約１：１、約４０：１〜約２：１、４０：１〜約５：１、約３５：１〜約７：１、約３０：１〜約１０：１、約２０：１〜約１５：１となるように第１有益剤を含む。
【００７７】
前記組成物の一態様では、前記第１の有益剤は、シリコーン、ビニルポリマー、ポリエーテル、炭化水素ワックスを含む物質、液体炭化水素、流体糖ポリエステル、流体糖ポリエーテル、及びこれらの混合物からなる群から選択される材料を含む。
【００７８】
このような組成物の一態様では、
ａ）前記シリコーンはオルガノシリコーンを含み、
ｂ）前記ビニルポリマーは、
（ｉ）水素化又は非水素化ポリイソプレン、
（ｉｉ）スチレン、アクリロニトリル、及びアクリレートからなる群から選択される１種以上のモノマーを含む水素化又は非水素化ポリイソプレン、
（ｉｉｉ）水素化又は非水素化ポリイソブチレン、
（ｉｖ）スチレン、アクリロニトリル、及びアクリレートからなる群から選択される１種以上のモノマーを含む水素化又は非水素化ポリイソブチレン、
（ｖ）水素化又は非水素化ポリブタジエン、
（ｖｉ）スチレン、アクリロニトリル、及びアクリレートからなる群から選択される１種以上のモノマーを含む水素化又は非水素化ポリブタジエン、
（ｖｉｉ）イソプレン、並びにスチレン、アクリロニトリル、及びアクリレートからなる群から選択される１種以上のモノマーを含むポリイソプレン、イソブチレン、並びにスチレン、アクリロニトリル、及びアクリレートからなる群から選択される１種以上のモノマーを含むポリイソブチレン、ブタジエン、並びにスチレン、アクリロニトリル、及びアクリレートからなる群から選択される１種以上のモノマーを含むポリブタジエンからなる群から選択される、少なくとも２種又は少なくとも３種の材料を含む水素化又は非水素化コポリマー、
（ｖｉｉｉ）アクリレートポリマー、
（ｉｘ）メタクリレートポリマー、
（ｘ）少なくとも２種又は少なくとも３種の異なるアクリレート及び／又はメタクリレートモノマーを含む、アクリレートコポリマー、
（ｘｉ）無電荷であるか、又はカチオン性若しくはアニオン性からなる群から選択される実効電荷を有する、変性ポリイソブテン化合物、からなる群から選択され、
ｃ）前記ポリエーテルは、エチレンオキシド、プロピレンオキシド、ブチレンオキシド、及びこれらの混合物からなる群から選択される材料を含み、
ｄ）前記炭化水素ワックスを含む材料は、液体炭化水素、シリコーン、及びこれらの混合物からなる群から選択される材料を含み、
ｅ）前記液体炭化水素は、１つ以上のＣ５〜Ｃ１００アルカンを含み、
ｆ）前記流体糖ポリエステルは、環式ポリオール及び／又は還元糖を含み、一態様では、前記環式ポリオール及び／又は還元糖のヒドロキシル部分の約３３〜約１００％はエステル化され、一態様では、前記エステル部分のうち２つ以上は、独立して、アルキル又はアルケニル鎖に結合し、一態様では、前記アルキル又はアルケニル鎖は、前記タロー脂肪酸及び／又はオレイル脂肪酸の混合物を少なくとも５０重量％含む脂肪酸混合物に由来し得るものであり、一態様では、前記脂肪酸混合物は、タロー脂肪酸及びオレイル脂肪酸の混合物を、１０：９０〜９０：１０、又は２５：７５〜７５：２５のタロー脂肪酸：オレイル脂肪酸重量比で含み、一態様では、前記脂肪酸混合物はタロー脂肪酸及びオレイル脂肪酸のみを含有し、
ｇ）前記流体糖ポリエーテルは環状ポリオール及び／又は還元糖を含み、一態様では、前記環式ポリオール及び／又は還元糖のヒドロキシル部分のうち約３３〜約１００％はエーテル化されており、一態様では、前記エーテル部分のうち２つ以上は、独立して、アルキル又はアルケニル鎖に結合しており、一態様では、前記アルキル又はアルケニル鎖は、脂肪族アルコール混合物に由来し得るものであり、前記タロー脂肪族アルコール及び／又はオレイル脂肪族アルコールの混合物を少なくとも５０重量％含み、一態様では、前記脂肪族アルコール混合物は、タロー脂肪族アルコール及びオレイル脂肪族アルコールの混合物を、１０：９０〜９０：１０又は２５：７５〜７５：２５のタロー脂肪酸：オレイル脂肪族アルコール重量比で含み、一態様では、前記脂肪族アルコール混合物は、タロー脂肪族アルコール及びオレイル脂肪族アルコールのみを含有する。
【００７９】
このような組成物の一態様では、
ａ）前記シリコーンは、約１０００ダルトン〜約１，０００，０００ダルトン、約１５００ダルトン〜約３００，０００ダルトン、約２０００ダルトン〜約１００，０００ダルトン、又は約３０００ダルトン〜約４０，０００ダルトンの重量平均分子量を有し、
ｂ）前記ビニルポリマーは、約１０００ダルトン〜約１，０００，０００ダルトン、約１５００ダルトン〜約３００，０００ダルトン、約２０００ダルトン〜約１００，０００ダルトン、又は約３０００ダルトン〜約４０，０００ダルトンの重量平均分子量を有し、並びに
ｃ）前記ポリエーテルは、約１０００ダルトン〜約１，０００，０００ダルトン、約１５００ダルトン〜約３００，０００ダルトン、約２０００ダルトン〜約１００，０００ダルトン、又は約３０００ダルトン〜約４０，０００ダルトンの重量平均分子量を有する。
【００８０】
このような組成物の一態様では、
ａ）前記シリコーンはオルガノシリコーンを含み、
ｂ）前記ビニルポリマーは、
（ｉ）水素化又は非水素化ポリイソプレン、
（ｉｉ）スチレン、アクリロニトリル、及びアクリレートからなる群から選択される１種以上のモノマーを含む水素化又は非水素化ポリイソプレン、
（ｉｉｉ）水素化又は非水素化ポリイソブチレン、
（ｉｖ）スチレン、アクリロニトリル、及びアクリレートからなる群から選択される１種以上のモノマーを含む水素化又は非水素化ポリイソブチレン、
（ｖ）水素化又は非水素化ポリブタジエン、
（ｖｉ）スチレン、アクリロニトリル、及びアクリレートからなる群から選択される１種以上のモノマーを含む水素化又は非水素化ポリブタジエン、
（ｖｉｉ）イソプレン、並びにスチレン、アクリロニトリル、及びアクリレートからなる群から選択される１種以上のモノマーを含むポリイソプレン、イソブチレン、並びにスチレン、アクリロニトリル、及びアクリレートからなる群から選択される１種以上のモノマーを含むポリイソブチレン、ブタジエン、並びにスチレン、アクリロニトリル、及びアクリレートからなる群から選択される１種以上のモノマーを含むポリブタジエンからなる群から選択される、少なくとも２種又は少なくとも３種の材料を含む水素化又は非水素化コポリマー、
（ｖｉｉｉ）アクリレートポリマー、
（ｉｘ）メタクリレートポリマー、
（ｘ）少なくとも２種又は少なくとも３種の異なるアクリレート及び／又はメタクリレートモノマーを含む、アクリレートコポリマー、
（ｘｉ）無電荷であるか、又はカチオン性若しくはアニオン性からなる群から選択される実効電荷を有する、変性ポリイソブテン化合物、からなる群から選択され、
ｃ）前記ポリエーテルは、エチレンオキシド、プロピレンオキシド、ブチレンオキシド、及びこれらの混合物からなる群から選択される材料を含む。
【００８１】
このような組成物の一態様では、
ａ）前記シリコーンは、ポリジメチルシロキサン、アミノシリコーン、カチオン性シリコーン、シリコーンポリエーテル、環式シリコーン、シリコーン樹脂、官能化シリコーン、及びこれらの混合物からなる群から選択される材料を含み、
ｂ）前記ビニルポリマーは、イソプレン−イソブチレンコポリマー、カルボキシラート化アクリロニトリルブタジエンコポリマー、スチレン−イソプレンコポリマー、スチレン−ブタジエンブロックコポリマー、及びこれらの混合物からなる群から選択される材料を含み、
ｃ）前記ポリエーテルは、ポリエチレンオキシド、ポリプロピレンオキシド、ポリアルキルオキシラン、及びこれらの混合物からなる群から選択される材料を含み、
ｄ）前記炭化水素ワックスを含む材料は、ペトロラタム、微結晶性ワックス、パラフィンワックス、蜜蝋、虫白蝋、ラノリン、鯨蝋、ヤマモモワックス、マイリカ・ファヤ（Myrica faya）、キャンデリラワックス、カルナバワックス、カルナウバヤシ（Copernica cerifera）、キャスターワックス、エスパルトワックス、和蝋、ホホバ油、ホホバ（Simmondsia chinensis）、Ｏｕｒｉｃｕｒｙワックス、シアグルス・コロナタ（Syagrus coronata）、コメヌカワックス、大豆ワックス、セレシンワックス、モンタノア（Montan）ワックス、地蝋、ピートワックス、ポリエチレンワックス、フィッシャー・トロプシュワックス、アミド置換ワックス、重合α−オレフィン、及びこれらの混合物から選択される材料を含み、並びに
ｅ）前記液体炭化水素は、鉱油、非晶質重合α−オレフィン、及びこれらの混合物からなる群から選択される材料を含む。
【００８２】
このような組成物の一態様では、
ａ）前記ポリジメチルシロキサンは、１Ｅ−５ｍ２／ｓ〜約２ｍ２／ｓ（１０センチストークス（ｃＳｔ）〜約２，０００，０００ｃＳｔ）、約５Ｅ−５ｍ２／ｓ〜約１ｍ２／ｓ（５０ｃＳｔ〜約１，０００，０００ｃＳｔ）、約０．０００５ｍ２／ｓ〜約０．１ｍ２／ｓ（５００ｃＳｔ〜約１００，０００ｃＳｔ）、又は約０．０００７５ｍ２／ｓ〜約０．００１ｍ２／ｓ（７５０ｃＳｔ〜約１０００ｃＳｔ）の粘度を有し、
ｂ）前記アミノシリコーンは、約０．０００１ｍ２／ｓ〜約０．３ｍ２／ｓ（１００ｃＳｔ〜約３００，０００ｃＳｔ）、約０．０００５ｍ２／ｓ〜約０．２ｍ２／ｓ（５００ｃＳｔ〜約２００，０００ｃＳｔ）、約０．０００７５ｍ２／ｓ〜約０．０５ｍ２／ｓ（７５０ｃＳｔ〜約５０，０００ｃＳｔ）、又は約０．００１ｍ２／ｓ〜約０．００５ｍ２／ｓ（１０００ｃＳｔ〜約５０００ｃＳｔ）の粘度を有し、
ｃ）前記カチオン性シリコーンは、約０．０００１ｍ２／ｓ〜約１ｍ２／ｓ（１００ｃＳｔ〜約１，０００，０００ｃＳｔ）、約０．０００５ｍ２／ｓ〜約０．５ｍ２／ｓ（５００ｃＳｔ〜約５００，０００ｃＳｔ）、約０．０００７５ｍ２／ｓ〜約０．０５ｍ２／ｓ（７５０ｃＳｔ〜約５０，０００ｃＳｔ）、又は約０．００１ｍ２／ｓ〜約０．００５ｍ２／ｓ（１０００ｃＳｔ〜約５０００ｃＳｔ）の粘度を有し、
ｄ）前記シリコーンポリエーテルは、約０．０００１ｍ２／ｓ〜約１ｍ２／ｓ（１００ｃＳｔ〜約１，０００，０００ｃＳｔ）、約０．０００５ｍ２／ｓ〜約０．５ｍ２／ｓ（５００ｃＳｔ〜約５００，０００ｃＳｔ）、約０．０００７５ｍ２／ｓ〜約０．０５ｍ２／ｓ（７５０ｃＳｔ〜約５０，０００ｃＳｔ）、又は約０．００１ｍ２／ｓ〜約０．００５ｍ２／ｓ（１０００ｃＳｔ〜約５０００ｃＳｔ）の粘度を有し、
ｅ）前記環状シリコーンは、約０．００００１ｍ２／ｓ〜約０．０１ｍ２／ｓ（１０ｃＳｔ〜約１０，０００ｃＳｔ）、約０．００００５ｍ２／ｓ〜約０．００５ｍ２／ｓ（５０ｃＳｔ〜約５，０００ｃＳｔ）、約０．０００１ｍ２／ｓ〜約０．００２ｍ２／ｓ（１００ｃＳｔ〜約２，０００ｃＳｔ）、又は約０．０００２ｍ２／ｓ〜約０．００１ｍ２／ｓ（２００ｃＳｔ〜約１０００ｃＳｔ）の粘度を有し、
ｆ）前記シリコーン樹脂は、約０．００００１ｍ２／ｓ〜約０．０１ｍ２／ｓ（１０ｃＳｔ〜約１０，０００ｃＳｔ）、約０．００００５ｍ２／ｓ〜約０．００５ｍ２／ｓ（５０ｃＳｔ〜約５，０００ｃＳｔ）、約０．０００１ｍ２／ｓ〜約０．００２ｍ２／ｓ（１００ｃＳｔ〜約２，０００ｃＳｔ）、又は約０．０００２ｍ２／ｓ〜約０．００１ｍ２／ｓ（２００ｃＳｔ〜約１０００ｃＳｔ）の粘度を有し、並びに
ｇ）前記フッ素化シリコーンは、約０．０００１ｍ２／ｓ〜約０．３ｍ２／ｓ（１００ｃＳｔ〜約３００，０００ｃＳｔ）、約０．０００５ｍ２／ｓ〜約０．２ｍ２／ｓ（５００ｃＳｔ〜約２００，０００ｃＳｔ）、約０．０００７５ｍ２／ｓ〜約０．０５ｍ２／ｓ（７５０ｃＳｔ〜約５０，０００ｃＳｔ）、又は約０．００１ｍ２／ｓ〜約０．００５ｍ２／ｓ（１０００ｃＳｔ〜約５０００ｃＳｔ）の粘度を有する。
【００８３】
このような組成物の一態様では、前記シリコーンは、構造
［Ｒ１Ｒ２Ｒ３ＳｉＯ１／２］（ｊ＋２）［Ｒ４Ｓｉ（Ｘ−Ｚ）Ｏ２／２］ｋ［Ｒ４Ｒ４ＳｉＯ２／２］ｍ［Ｒ４ＳｉＯ３／２］ｊ
を有する（式中、
ｊは０〜約９８の整数であり、一態様では、ｊは０〜約４８の整数であり、一態様では、ｊは０であり、
ｋは０〜約２００の整数であり、一態様では、ｋは０〜約５０の整数であり、ｋが０であるとき、Ｒ１、Ｒ２又はＲ３のうち少なくとも１つは−Ｘ−Ｚであり、
ｍは４〜約５，０００の整数であり、一態様では、ｍは約１０〜約４，０００の整数であり、別の態様では、ｍは約５０〜約２，０００の整数であり、
Ｒ１、Ｒ２及びＲ３は、それぞれ独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ、及びＸ−Ｚからなる群から選択され、
各Ｒ４は、独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、及びＣ１〜Ｃ３２置換アルコキシからなる群から選択され、
各Ｘ−Ｚに関し、
Ｘは炭素原子を２〜１２個含む二価アルキレンラジカルを含み、
このようなオルガノシロキサン中、少なくとも１つのＺは、Ｒ５、
【００８４】
【化２２】
2015531008.tif 000023
からなる群から選択され、
このようなオルガノシリコーン中、各追加のＺは、独立してＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｒ５、
【００８５】
【化２３】
2015531008.tif 000024
からなる群から選択され、
各Ｒ５は、独立してＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール又はＣ６〜Ｃ３２アルキルアリール、又はＣ６〜Ｃ３２置換アルキルアリール、−（ＣＨＲ６−ＣＨＲ６−Ｏ−）ｗ−ＣＨＲ６−ＣＨＲ６−Ｌ及びシロキシル残基からなる群から選択され、
ｗは０〜約５００の整数であり、一態様では、ｗは０〜約２００の整数であり、一態様では、ｗは０〜約５０の整数であり、
各Ｒ６が、Ｈ又はＣ１〜Ｃ１８アルキルから独立して選択され、
各Ｌは、独立して、−Ｏ−Ｃ（Ｏ）−Ｒ７又は−Ｏ−Ｒ７、
【００８６】
【化２４】
2015531008.tif 000025
から選択され、
各Ｒ７は、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、及びＣ６〜Ｃ３２置換アリール、並びにシロキシル残基からなる群から選択され、
各Ｔは、独立して、Ｈ、
【００８７】
【化２５】
2015531008.tif 000026
から選択され、
前記オルガノシリコーン中、各ｖは１〜約１０の整数であり、一態様では、ｖは１〜約５の整数であり、前記オルガノシリコーンの各Ｚにおけるすべてのｖの合計は、１〜約３０又は１〜約２０又は１〜約１０の整数であり、但し、分子中のＴ部分の合計は６を超過しない）。
【００８８】
このような組成物の一態様では、前記オルガノシリコーンは、ペンダントアミノシリコーン及び／又は末端アミノシリコーンを含む。
【００８９】
このような組成物の一態様では、前記ペンダントアミノシリコーンは、構造
［Ｒ１Ｒ２Ｒ３ＳｉＯ１／２］（ｊ＋２）［（Ｒ４Ｓｉ（Ｘ−Ｋ）Ｏ２／２］ｋ［Ｒ４Ｒ４ＳｉＯ２／２］ｍ［Ｒ４ＳｉＯ３／２］ｊを有する
（式中、
ｊは０〜約９８の整数であり、一態様では、ｊは０〜約４８の整数であり、一態様では、ｊは０であり、
ｋは０〜約２００の整数であり、一態様では、ｋは０〜約５０の整数であり、ｋが０であるとき、Ｒ１、Ｒ２又はＲ３のうちの少なくとも１つは−Ｘ−Ｋであり、
ｍは４〜約５，０００の整数であり、一態様では、ｍは約１０〜約４，０００の整数であり、別の態様では、ｍは約５０〜約２，０００の整数であり、
Ｒ１、Ｒ２及びＲ３は、それぞれ独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ、及びＸ−Ｋからなる群から選択され、
各Ｒ４は、独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、及びＣ１〜Ｃ３２置換アルコキシからなる群から選択され、
各Ｘ−Ｋについて、Ｘが、２〜１２個の炭素原子を含む二価アルキレン基を含み、一態様では、各二価アルキレン基が、−（ＣＨ２）ｓ−からなる群から独立して選択され、このときｓが２〜８の整数、又は２〜４の整数であり、
各Ｋは、独立して、
【００９０】
【化２６】
2015531008.tif 000027
からなる群から選択され、
各Ｑは、独立して、Ｈ又はＣ１〜Ｃ３２線状又は分岐状、置換又は非置換炭化水素であり、ただし、Ｋが第四級のとき、Ｑがアミド、イミン、又は尿素部分となることはなく、Ｑがアミド、イミン、又は尿素部分の場合には、前記アミド、イミン、又は尿素部分として同じ窒素に結合する任意の追加のＱは、Ｈ又はＣ１〜Ｃ６アルキルでなければならず、一態様では、かかる追加のＱはＨであり、
Ｘは上記に定義される通りのものであり、
Ｋに関し、Ａｎ−は好適な電荷均衡アニオンである。一態様において、Ａｎ−は、Ｃｌ−、Ｂｒ−、Ｉ−、メチルサルフェート、トルエンスルホネート、カルボキシレート、及びホスフェートからなる群から選択され、上記オルガノシリコーンの少なくとも１つのＱは、独立して、
−ＣＨ２−ＣＨ（ＯＨ）−ＣＨ２−Ｒ５、
【００９１】
【化２７】
2015531008.tif 000028
から選択され、
カチオン性に荷電したＫに関し、Ａｎ−は、電荷のバランスをとる好適なアニオンであり、一態様では、Ａｎ−は、Ｃｌ−、Ｂｒ−、Ｉ−、メチルスルフェート、トルエンスルホネート、カルボキシラート、及びホスフェートからなる群から選択され、
式中、各Ｒ５は、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、−（ＣＨＲ６−ＣＨＲ６−Ｏ−）ｗ−Ｌ、及びシロキシル残基からなる群から選択され、
各Ｒ６は、独立して、Ｈ、Ｃ１〜Ｃ１８アルキルから選択され、
各Ｌは、独立して、−Ｃ（Ｏ）−Ｒ７又はＲ７から選択され、
Ｒ７は、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール及びシロキシル残基からなる群から独立して選択され、
ｗは０〜約５００の整数であり、一態様では、ｗは約１〜約２００の整数であり、一態様では、ｗは約１〜約５０の整数であり、
各Ｔは、独立して、Ｈ、
【００９２】
【化２８】
2015531008.tif 000029
から選択され、
前記オルガノシリコーン中、各ｖは１〜約１０の整数であり、一態様では、ｖは１〜約５の整数であり、前記オルガノシリコーンの各Ｚにおけるすべてのｖの合計は、１〜約３０又は１〜約２０又は１〜約１０の整数であり、但し、分子中のＴ部分の合計は６を超過しない）。
【００９３】
このような組成物の一態様では、前記ペンダントアミノシリコーンは、約１０００ダルトン〜約１００００００ダルトン、約１００００ダルトン〜約１０００００ダルトン、又は約１５０００ダルトン〜約５００００ダルトンの分子量を有する。
【００９４】
このような組成物の一態様では、Ｓは、ビニルホルムアミド、酢酸ビニル、アルキルアクリレート、アルキルメタクリレート、スチレン、置換スチレン、及びこれらの混合物からなる群から選択されるモノマーを含む。
【００９５】
このような組成物の一態様では、Ｐは、線状ポリ（エチレンイミン）、分岐ポリ（エチレンイミン）、線状ポリ（ビニルアミン）、分岐ポリ（ビニルアミン）、線状ポリ（アリルアミン）、分岐ポリ（アリルアミン）、及びポリ（アミドアミン）からなる群から選択されるポリアミンである。
【００９６】
このような組成物の一態様では、前記ポリアミンは分岐ポリ（エチレンイミン）である。
【００９７】
このような組成物の一態様では、前記分岐ポリ（エチレンイミン）は、約６００ダルトン〜約７５００００ダルトン、約２０００ダルトン〜約５０００００ダルトン、又は約２５０００ダルトン〜約７５０００ダルトンの数平均分子量を有する。
【００９８】
このような組成物の一態様では、Ｐは線状ポリ（ビニルアミン）である。
【００９９】
このような組成物の一態様では、前記線状ポリ（ビニルアミン）は、約１０，０００ダルトン〜約３６００００ダルトン、約１２０００ダルトン〜約２０００００ダルトン、又は約１５０００ダルトン〜約４５０００ダルトンの重量平均分子量を有する。
【０１００】
このような組成物の一態様では、
ａ）Ｐは、コポリマーの総重量に基づき、
（ｉ）約０重量％〜約８０重量％、約５重量％〜約７０重量％、又は約１０重量％〜約６０重量％のＮ−ビニルピロリドン、
（ｉｉ）約０．０１重量％〜約２０重量％、約０．０５重量％〜約１５重量％、又は約０．５重量％〜約１０重量％のグリシジルメタクリレート、
（ｉｉｉ）約５重量％〜約９５重量％、約１０重量％〜約９０重量％、又は約１５重量％〜約７０重量％のジアリルジメチルアンモニウムクロリド、並びに
（ｉｖ）約５重量％〜約９５重量％、約１０重量％〜約９０重量％、又は約１５重量％〜約７０重量％のアクリルアミド、を含む、ランダムコポリマーであり、
ｂ）Ｓは、
（ｉ）Ｃ６〜Ｃ５０アルキル、Ｃ８〜Ｃ４０アルキル、Ｃ１０〜Ｃ２４アルキル、又はＣ１２〜Ｃ１８アルキル、
（ｉｉ）式
［Ｒ１Ｒ２Ｒ３ＳｉＯ１／２］（ｊ＋２）［Ｒ４Ｓｉ（Ｘ−Ｋ）Ｏ２／２］ｋ［Ｒ４Ｒ４ＳｉＯ２／２］ｍ［Ｒ４ＳｉＯ３／２］ｊ
を有する物質から選択される（式中、
ｊは０〜約９８の数であり、一態様では、ｊは０〜約４８の数であり、一態様では、ｊは０であり、
ｋは０〜約２００の整数であり、一態様では、ｋは０〜約５０の整数であり、ｋが０であるとき、Ｒ１、Ｒ２、又はＲ３のうちの少なくとも１つは−Ｘ−Ｋであり、
ｍは４〜約５，０００の数であり、一態様では、ｍは約１０〜約４，０００の数であり、別の態様では、ｍは約５０〜約２，０００の数であり、
Ｒ１、Ｒ２及びＲ３は、それぞれ独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ、２〜１２個の炭素原子を含む二価アルキレンラジカル、及びＸ−Ｋからなる群から選択され、但し、ｋが０である場合、Ｒ１、Ｒ２及びＲ３のうちの少なくとも１つは−Ｘ−Ｋであり、
各Ｒ４は、独立してＨ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ、及び２〜１２個の炭素原子を含む二価アルキレンラジカルからなる群から選択され、
但し、前記Ｒ１、Ｒ２、Ｒ３及びＲ４部分のうちの少なくとも１つ、但し５個以下は、２〜１２個の炭素原子を含む二価アルキレンラジカルであり、
各Ｘ−Ｋに関し、Ｘは、２〜１２個の炭素原子を含む二価アルキレンラジカルを含み、一態様では、前記二価アルキレンラジカルの各々は、独立して−（ＣＨ２）ｓ−からなる群から選択され、ｓは約２〜約８の整数であり、一態様では、ｓは約２〜約４の整数であり、
各Ｋは、独立して、
【０１０１】
【化２９】
2015531008.tif 000030
からなる群から選択され、
前記オルガノシリコーン中少なくとも１つのＱは、独立して、
−ＣＨ２−ＣＨ（ＯＨ）−ＣＨ２−Ｒ５、
【０１０２】
【化３０】
2015531008.tif 000031
から選択され、
前記オルガノシリコーン中の各追加のＱは、独立してＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、−ＣＨ２−ＣＨ（ＯＨ）−ＣＨ２−Ｒ５からなる群から選択され、
式中、各Ｒ５は、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、−（ＣＨＲ６−ＣＨＲ６−Ｏ−）ｗ−Ｌ、及びシロキシル残基からなる群から選択され、
各Ｒ６は、独立して、Ｈ、Ｃ１〜Ｃ１８アルキルから選択され、
各Ｌは、独立して、−Ｃ（Ｏ）−Ｒ７又はＲ７から選択され、
Ｒ７は、独立してＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、及びシロキシル残基からなる群から選択され、
ｗは０〜約５００の整数であり、一態様では、ｗは約１〜約２００の整数であり、一態様では、ｗは約１〜約５０の整数であり、但し、Ｋが四級であるとき、Ｑがアミド、イミン、又は尿素部分となることはなく、Ｑがアミド、イミン、又は尿素部分である場合には、前記アミド、イミン、又は尿素部分として同じ窒素に結合する任意の追加のＱはＨ又はＣ１〜Ｃ６アルキルでなければならず、一態様では、前記追加のＱはＨであり、
Ｘは上記に定義される通りのものであり、
Ｋに関する各指数ｎは、Ｋ中に存在するとき、１〜４の整数であり、Ａは電荷のバランスをとる好適なアニオンである。一態様では、ＡはＣｌ−、Ｂｒ−、Ｉ−、メチルスルフェート、トルエンスルホネート、カルボキシラート、及びホスフェートからなる群から選択され、
各Ｔは、独立して、Ｈ、
【０１０３】
【化３１】
2015531008.tif 000032
から選択され、
前記オルガノシリコーン中、各ｖは１〜約１０の整数であり、一態様では、ｖは１〜約５の整数であり、前記オルガノシリコーンの各Ｚにおけるすべてのｖの合計は、１〜約３０又は１〜約２０又は１〜約１０の整数であり、但し、分子中のＴ部分の合計は６を超過しない）。
【０１０４】
１つの態様では、この組成物は消費者製品である。
【０１０５】
一態様では、前記組成物は、液体洗濯洗剤、液体布地増強剤、顆粒剤及び／又は粉末洗濯洗剤、ヘアコンディショナー、シャンプー、ボディウォッシュ、又はリーブ・オンヘアトリートメントである。一態様では、前記組成物は多用途で使用され得る。例えば、ボディウォッシュはシャンプーとして使用され得る。
【０１０６】
一態様では、部位を処理する方法であって、部位を、本明細書で開示される前記疎水変性カチオン性ポリマーを含む任意の組成物と接触させる工程を含む、方法が開示される。
【０１０７】
追加の添加剤
追加の添加剤は任意であるが、本明細書で開示されるタイプの組成物、例えば液体布地向上剤にしばしば使用されることが当業者には分かるであろう。したがって、このような組成物は、追加の柔軟剤活性物質、シリコーン化合物、構造化剤、付着助剤、香料、有益剤送達系、分散剤、安定剤、ｐＨ調整剤、着色剤、増白剤、染料、臭気抑制剤、溶媒、汚れ放出ポリマー、防腐剤、抗微生物剤、塩素スカベンジャー、収縮防止剤、布地クリスピング剤、スポッティング剤、酸化防止剤、腐食防止剤、増粘剤、ドレープ及びフォーム調整剤、平滑剤、静電気抑制剤、しわ抑制剤、殺菌剤、消毒剤、細菌抑制剤、白カビ抑制剤、カビ抑制剤、抗ウィルス剤、抗微生物剤、乾燥剤、耐汚染剤、汚れ放出ポリマー剤、布地色相剤、悪臭抑制剤、布地リフレッシュ剤、塩素漂白臭気抑制剤、染料固定剤、染料移染阻害剤、色保持剤、色復元／再生剤、抗退色剤、白色増強剤、抗磨耗剤、耐磨耗剤、布地一体化剤、摩耗防止剤、抑泡剤及び消泡剤、すすぎ助剤、ＵＶ保護剤、日褪せ阻害剤、防虫剤、抗アレルギー剤、酵素、難燃剤、防水剤、布地快適剤、活水剤、耐収縮剤、耐伸剤、増粘剤、キレート剤、電解質、及びこれらの混合物を含む群から選択される、成分を含む追加の添加剤を含んでよい。かかる添加物は既知であり、必要に応じて本製剤に含むことが可能である。一態様において、布地向上剤は前記添加物をどれも含まず又は実質上含まない。
【０１０８】
布地色調剤−この組成物は布地色調剤（シェーディング剤、青味剤、又は増白剤と呼ばれることもある）を含んでもよい。典型的には色調剤は、青又は紫の濃淡を布地に提供する。色調剤は単独で又は組み合わせて使用して、特有な色合いを作り出すことができ、及び／又は異なる種類の布地に色合いをつけることができる。これは、例えば、赤と緑−青の染料とを混合して、青又は紫の色合いを生じさせることにより提供され得る。色調剤は、アクリジン、アントラキノン（多環式キノンを含む）、アジン、前金属化した（premetallized）アゾを含むアゾ（例えば、モノアゾ、ジアゾ、トリスアゾ、テトラキスアゾ、ポリアゾ）、ベンゾジフラン及びベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ及びニトロソ、オキサジン、フタロシアニン、ピラゾール、スチルベン、スチリル、トリアリールメタン、トリフェニルメタン、キサンテン、並びにこれらの混合物を含むが、これらに限定されない任意の周知される染料の化学分類から選択してよい。
【０１０９】
好適な布地色調剤としては、染料、染料−粘土共役体、並びに有機及び無機顔料類が挙げられる。好適な染料には、小分子染料及びポリマー染料が挙げられる。好適な小分子染料としては、例えば、青、バイオレット、赤、緑、又は黒に分類され、単独で又は組み合わせで所望の色合いをもたらす、酸性染料、直接染料、塩基性染料、反応染料、又は加水分解した反応性染料、加水分解した溶剤染料、若しくは加水分解した分散染料の色指数（Ｃ．Ｉ．）分類に分類される染料からなる群から選択される小分子染料が挙げられる。別の態様では、好適な小分子染料としては、色指数（染料及び着色料技術者協会（Society of Dyers and Colourists）、（Ｂｒａｄｆｏｒｄ、ＵＫ））番号ダイレクトバイオレット染料（９、３５、４８、５１、６６、及び９９など）ダイレクトブルー染料（１、７１、８０、及び２７９など）、アシッドレッド染料（１７、７３、５２、８８及び１５０など）、アシッドバイオレット染料（１５、１７、２４、４３、４９、及び５０など）、アシッドブルー染料（１５、１７、２５、２９、４０、４５、７５、８０、８３、９０、及び１１３など）、アシッドブラック染料（１など）、ベーシックバイオレット染料（１、３、４、１０及び３５など）、ベーシックブルー染料（３、１６、２２、４７、６６、７５及び１５９など）、分散又は溶媒染料（米国特許出願公開第２００８／０３４５１１（Ａ１）号、又は米国特許出願公開第８，２６８，０１６（Ｂ２）号又は染料米国特許出願公開第７，２０８，４５９（Ｂ２）号に記載される通りのものなど）、及びこれらの混合物からなる群から選択される小分子染料が挙げられる。別の態様では、好適な小分子染料としては、Ｃ．Ｉ．番号アシッドバイオレット１７、アシッドブルー８０、アシッドバイオレット５０、ダイレクトブルー７１、ダイレクトバイオレット５１、ダイレクトブルー１、アシッドレッド８８、アシッドレッド１５０、アシッドブルー２９、アシッドブルー１１３、又はこれらの混合物からなる群から選択される小分子染料が挙げられる。
【０１１０】
好適な高分子染料としては、例えばポリマーと色原体とを共重合してポリマーの主鎖にしたものなどの、共有結合（共役結合と呼ばれることもある）した色原体を含有するポリマー類（染料−ポリマー共役結合）、及びこれらの混合物からなる群から選択される高分子染料が挙げられる。
【０１１１】
別の態様では、適切なポリマー染料としては、Ｌｉｑｕｉｔｉｎｔ（登録商標）（Ｍｉｌｌｉｋｅｎ、米国サウスカロライナ州スパータンバーグ）の名称で市販されている布地直接着色剤、及び少なくとも１つの反応染料と、ヒドロキシル部分、１級アミン部分、２級アミン部分、チオール部分、及びこれらの混合物からなる群から選択される部分を含むポリマーからなる群から選択されるポリマーから形成されている染料−ポリマー共役体が挙げられる。また別の態様では、好適なポリマー染料としては、Ｌｉｑｕｉｔｉｎｔ（登録商標）バイオレットＣＴ、Ｃ．Ｉ．と共役するＣＭＣ等のリアクティブブルー、リアクティブバイオレット、又はリアクティブレッドの染料に共有結合するカルボキシメチルセルロース（ＣＭＣ）からなる群から選択されるポリマー染料が挙げられる。ＣＭＣが共役されているものとしては、メガザイム（Megazyme）（アイルランド、ウイックロー）からＡＺＯ−ＣＭ−セルローズの商品名、商品コードＳ−ＡＣＭＣで市販されているＣ．Ｉ．リアクティブブルー１９、アルコキシル化トリフェニール−メタン重合着色料、アルコキシル化チオフェン重合着色料、及びこれらの混合物からなる群から選択されるポリマー染料が挙げられる。
【０１１２】
色相剤は、所望により精製工程を用いる染料分子の有機合成の結果として得られる、反応混合物の一部として、洗剤組成物に組み込んでもよい。このような反応混合物は、一般的に、染料分子そのものに加えて、未反応の出発物質及び／又は有機合成経路の副生成物も含み得る。
【０１１３】
適切な顔料としては、フラバントロン、インダントロン、１〜４個の塩素原子を有する塩素化インダントロン、ピラントロン、ジクロロピラントロン、モノブロモジクロロピラントロン、ジブロモジクロロピラントロン、テトラブロモピラントロン、ペリレン−３，４，９，１０−テトラカルボン酸ジイミド（イミド基は置換されていないか、あるいは、Ｃ１〜Ｃ３−アルキル若しくはフェニル又は複素環式ラジカルで置換されていてもよく、このフェニル及び複素環式ラジカルは更に、水溶性を付与しない置換基を有していてもよい）、アントラピリミジンカルボン酸アミド、ビオラントロン、イソビオラントロン、ジオキサジン顔料、銅フタロシアニン（１分子当たり２個以下の塩素原子を有していてもよい）、ポリクロロ−銅フタロシアニン、又はポリブロモクロロ−銅フタロシアニン（１分子当たり１４個以下の臭素原子を有する）、及びこれらの混合物からなる群から選択される顔料が挙げられる。別の態様では、好適な顔料としては、ウルトラマリンブルー（Ｃ．Ｉ．顔料ブルー２９）、ウルトラマリンバイオレット（Ｃ．Ｉ．ピグメントバイオレット１５）、モナスタールブルー（Monastral Blue）、及びこれらの混合物が挙げられる。
【０１１４】
上記の布地色調剤は、組み合わせて使用することができる（布地色調剤の任意の混合物を使用することができる）。
【０１１５】
本発明での使用に適した電解質としては、アルカリ金属塩及びアルカリ土類金属塩、例えばカリウム、ナトリウム、カルシウム、マグネシウム由来のものが挙げられる。
【０１１６】
シリコーン−好適なシリコーンは、Ｓｉ−Ｏ部分を含み、また、（ａ）非官能化シロキサンポリマー、（ｂ）官能化シロキサンポリマー、及びこれらの組み合わせから選択することができる。有機シリコーンの分子量は、通常、物質の粘度を参照することにより示される。一態様では、オルガノシリコーンは、２５℃下で、約１Ｅ−５〜約２ｍ２ｓ（１０〜約２，０００，０００ｃＳｔ）の粘度を有し得る。別の態様では、好適なオルガノシリコーンは、２５℃下で、約１Ｅ−５ｍ２／ｓ〜約０．８ｍｍ２／ｓ（１０〜約８００，０００ｃＳｔ）の粘度を有し得る。
【０１１７】
好適な有機シリコーンは、線状、分岐状、又は架橋状であってもよい。一態様において、有機シリコーンはシリコーン樹脂を含むことができる。シリコーン樹脂は、高度に架橋したポリマーシロキサン系である。架橋は、シリコーン樹脂の製造中に三官能性及び四官能性シランを一官能性若しくは二官能性シラン又はその両方のシランと混合することによって生じる。
【０１１８】
特にシリコーン物質及びシリコーン樹脂は、「ＭＤＴＱ」命名法として当業者に既知の省略命名法のシステムによって便利に同定することができる。このシステムによれば、シリコーンは、シリコーンを構成する様々なシロキサンモノマー単位の存在に準じて表される。つまり、記号Ｍは一官能性単位（ＣＨ３）３ＳｉＯ０．５を示し、Ｄは二官能性単位（ＣＨ３）２ＳｉＯを示し、Ｔは三官能性単位（ＣＨ３）ＳｉＯ１．５を示し、Ｑは四官能性単位ＳｉＯ２を示す。単位記号のプライム符号（例えば、Ｍ’、Ｄ’、Ｔ’、及びＱ’）は、メチル以外の置換基を示し、出てくる度に具体的に定義されなければならない。
【０１１９】
一態様において、本発明の組成物に用いるシリコーン樹脂としては、ＭＱ、ＭＴ、ＭＴＱ、ＭＤＴ及びＭＤＴＱ樹脂が挙げられるが、これらに限定されない。一態様において、メチルは、極めて好適なシリコーン置換基である。別の態様では、シリコーン樹脂は、典型的にはＭＱ樹脂であり、その場合、Ｍ：Ｑ比は、典型的には約０．５：１．０〜約１．５：１．０であり、シリコーン樹脂の平均分子量は、典型的には約１０００〜約１０，０００である。
【０１２０】
他の変性シリコーン又はシリコーンコポリマーもまた本明細書では有用である。これらの例としては、米国特許第６，６０７，７１７号及び同第６，４８２，９６９号に開示されているシリコーン系第四級アンモニウム化合物（ケナン第四級化合物（Kennan quats））、末端第四級シロキサン；米国特許第５，８０７，９５６号及び同第５，９８１，６８１号に開示されているシリコーンアミノポリアルキレンオキシドブロックコポリマー、米国特許第６，２０７，７８２号に開示されている親水性シリコーンエマルション、米国特許第７，４６５，４３９号に開示されている１つ以上の架橋した熊手又は櫛型シリコーンコポリマーセグメントから構成されるポリマーが挙げられる。本明細書において有用な更なる変性シリコーン又はシリコーンコポリマーは、米国特許出願公開第２００７／０２８６８３７（Ａ１）号及び同第２００５／００４８５４９（Ａ１）号に記載されている。
【０１２１】
本発明の代替実施形態において、上で述べられたシリコーン系第四級アンモニウム化合物は、米国特許第７，０４１，７６７号及び米国特許第７，２１７，７７７号並びに米国特許出願公開第２００７／００４１９２９（Ａ１）号に記載されているシリコーンポリマーと組み合わされてもよい。
【０１２２】
一態様では、オルガノシリコーンは、以下の式（ＸＸＩＶ）を有し得る非官能化シロキサンポリマーを含んでもよく、ポリアルキル及び／又はフェニルシリコーン流体、樹脂並びに／あるいはゴムを含んでもよい。
［Ｒ１Ｒ２Ｒ３ＳｉＯ１／２］ｎ［Ｒ４Ｒ４ＳｉＯ２／２］ｍ［Ｒ４ＳｉＯ３／２］ｊ
式（ＸＸＩＶ）
（式中、
ｉ）各Ｒ１、Ｒ２、Ｒ３及びＲ４は、Ｈ、−ＯＨ、Ｃ１〜Ｃ２０アルキル、Ｃ１〜Ｃ２０置換アルキル、Ｃ６〜Ｃ２０アリール、Ｃ６〜Ｃ２０置換アリール、アルキルアリール、及び／又はＣ１〜Ｃ２０アルコキシ部分からなる群から独立して選択されてもよく、
ｉｉ）ｎは、ｎ＝ｊ＋２となるように約２〜約１０、若しくは約２〜約６の整数、又は２であってもよく、
ｉｉｉ）ｍは、約５〜約８，０００、約７〜約８，０００、又は約１５〜約４，０００の整数であってもよく、
ｉｖ）ｊは０である）。
【０１２３】
一態様では、Ｒ２、Ｒ３及びＲ４はメチル、エチル、プロピル、Ｃ４〜Ｃ２０アルキル、及び／又はＣ６〜Ｃ２０アリール部分を含み得る。一態様では、Ｒ２、Ｒ３及びＲ４のそれぞれはメチルであってもよい。シリコーン鎖の末端をブロックするそれぞれのＲ１部分は、水素、メチル、メトキシ、エトキシ、ヒドロキシ、プロポキシ、及び／又はアリールオキシからなる群から選択される部分を含み得る。
【０１２４】
本明細書で使用するとき、用語ＳｉＯ「ｎ」／２は、酸素原子とケイ素原子との比を表す。例えば、ＳｉＯ１／２は、１つの酸素が２つのＳｉ原子間で共有されていることを意味する。同様に、ＳｉＯ２／２は、２つの酸素原子が２つのＳｉ原子の間で共有されることを意味し、ＳｉＯ３／２は、３つの酸素原子が２つのＳｉ原子の間で共有されることを意味する。
【０１２５】
１つの態様では、有機シリコーンは、ポリジメチルシロキサン、ジメチコン、ジメチコノール、ジメチコンクロスポリマー、フェニルトリメチコン、アルキルジメチコン、ラウリルジメチコン、ステアリルジメチコン、及びフェニルジメチコンであってもよい。例としては、Ｄｏｗ  Ｃｏｒｎｉｎｇ（登録商標）Ｃｏｒｐｏｒａｔｉｏｎ（Ｍｉｄｌａｎｄ，ＭＩ）から入手可能な、ＤＣ  ２００  Ｆｌｕｉｄ、ＤＣ  １６６４、ＤＣ  ３４９、ＤＣ  ３４６Ｇという商品名で入手可能なもの、並びにＭｏｍｅｎｔｉｖｅ  Ｓｉｌｉｃｏｎｅｓ（Ｗａｔｅｒｆｏｒｄ，ＮＹ）から入手可能なＳＦ１２０２、ＳＦ１２０４、ＳＦ９６、及びＶｉｓｃａｓｉｌ（登録商標）という商品名で入手可能なものが挙げられる。
【０１２６】
１つの態様では、有機シリコーンは、環状シリコーンを含んでもよい。環状シリコーンは、式［（ＣＨ３）２ＳｉＯ］ｎ（ｎは、約３〜約７、又は約５〜約６の範囲であり得る整数である）のシクロメチコンを含んでもよい。
【０１２７】
１つの態様では、有機シリコーンは、官能化シロキサンポリマーを含んでもよい。官能化シロキサンポリマーは、アミノ、アミド、アルコキシ、ヒドロキシ、ポリエーテル、カルボキシ、ヒドリド、メルカプト、サルフェート、ホスフェート、及び／又は第四級アンモニウム部分から成る群から選択される１つ以上の官能化部分を含んでもよい。これらの部分は、二価アルキレンラジカルを通してシロキサン骨格鎖に直接結合してもよく（即ち、「ペンダント」）、骨格鎖の一部であってもよい。好適な官能化シロキサンポリマーとしては、アミノシリコーン、アミドシリコーン、シリコーンポリエーテル、シリコーン−ウレタンポリマー、第四級ＡＢｎシリコーン、アミノＡＢｎシリコーン、及びこれらの組み合わせから成る群から選択される物質が挙げられる。
【０１２８】
１つの態様では、官能化シロキサンポリマーは、「ジメチコンコポリオール」とも呼ばれるシリコーンポリエーテルを含んでもよい。一般に、シリコーンポリエーテルは、１本以上のポリオキシアルキレン鎖を有するポリジメチルシロキサン骨格鎖を含む。ポリオキシアルキレン部分を、ペンダント鎖として、又は末端ブロックとしてポリマーに組み込んでもよい。かかるシリコーンは、米国特許出願公開第２００５／００９８７５９号、米国特許第４，８１８，４２１号、及び同第３，２９９，１１２号に記載されている。例示的な市販のシリコーンポリエーテルとしては、ＤＣ  １９０、ＤＣ  １９３、ＦＦ４００が挙げられ、それらの全ては、Ｄｏｗ  Ｃｏｒｎｉｎｇ（登録商標）Ｃｏｒｐｏｒａｔｉｏｎから入手可能であり、様々なＳｉｌｗｅｔ（登録商標）界面活性剤は、Ｍｏｍｅｎｔｉｖｅ  Ｓｉｌｉｃｏｎｅｓから入手可能である。
【０１２９】
別の態様では、官能化シロキサンポリマーは、アミノシリコーンを含んでもよい。好適なアミノシリコーンは、米国特許第７，３３５，６３０  Ｂ２号、同第４，９１１，８５２号、及び米国特許出願公開第２００５／０１７０９９４Ａ１号に記載されている。１つの態様では、アミノシリコーンは、米国特許出願第６１／２２１，６３２号に記載されているものであってもよい。別の態様では、アミノシリコーンは、式（ＸＸＶ）の構造を含み得る：
［Ｒ１Ｒ２Ｒ３ＳｉＯ１／２］ｎ［（Ｒ４Ｓｉ（Ｘ−Ｚ）Ｏ２／２］ｋ［Ｒ４Ｒ４ＳｉＯ２／２］ｍ［Ｒ４ＳｉＯ３／２］ｊ
式（ＸＸＶ）
（式中、
ｉ．各Ｒ１、Ｒ２、Ｒ３及びＲ４は、Ｈ、ＯＨ、Ｃ１〜Ｃ２０アルキル、Ｃ１〜Ｃ２０置換アルキル、Ｃ６〜Ｃ２０アリール、Ｃ６〜Ｃ２０置換アリール、アルキルアリール、及び／又はＣ１〜Ｃ２０アルコキシから独立して選択されてもよく、
ｉｉ．各Ｘは、独立して、２〜１２個の炭素原子を含む二価アルキレンラジカル、−（ＣＨ２）ｓ−（式中、ｓは約２〜約１０の整数である）、−ＣＨ２−ＣＨ（ＯＨ）−ＣＨ２−、及び／又は
【０１３０】
【化３２】
2015531008.tif 000033
から選択されてもよく、
ｉｉｉ．各Ｚは、独立して、−Ｎ（Ｒ５）２、−
【０１３１】
【化３３】
2015531008.tif 000034
から選択されてもよく、式中、各Ｒ５は、独立して、Ｈ、Ｃ１〜Ｃ２０アルキルから選択されてもよく、Ａ−は適合するアニオンであってもよく、１つの態様では、Ａ−はハロゲン化物であってもよく、
ｉｖ．ｋは約３〜約２０、又は約５〜約１８超、又は更には約５〜約１０の整数であってもよく、
ｖ．ｍは、約１００〜約２，０００、又は約１５０〜約１，０００の整数であってもよく、
ｖｉ．ｎは、ｎ＝ｊ＋２になるように、約２〜約１０若しくは約２〜約６の整数、又は２であってもよく、
ｖｉｉ．ｊは、約０〜約１０、若しくは約０〜約４の整数、又は０であってもよい）。
１つの態様では、Ｒ１が−ＯＨを含んでもよい。この態様では、オルガノシリコーンはアミドメチコーンである。
【０１３２】
例示的な市販のアミノシリコーンとしては、Ｄｏｗ  Ｃｏｒｎｉｎｇ（登録商標）Ｃｏｒｐｏｒａｔｉｏｎから入手可能なＤＣ  ８８２２、２−８１７７、及びＤＣ−９４９、並びにＳｈｉｎ−Ｅｔｓｕ  Ｓｉｌｉｃｏｎｅｓ（Ａｋｒｏｎ，ＯＨ）から入手可能なＫＦ−８７３が挙げられる。
【０１３３】
１つの態様では、有機シリコーンは、アミンＡＢｎシリコーン、及び第四級ＡＢｎシリコーンを含んでもよい。かかる有機シリコーンは、一般に、ジアミンとエポキシドとの反応によって生成される。これらは、例えば、米国特許第６，９０３，０６１  Ｂ２号、同第５，９８１，６８１号、同第５，８０７，９５６号、同第６，９０３，０６１号、及び同第７，２７３，８３７号に記載されている。これらは、商品名Ｍａｇｎａｓｏｆｔ（登録商標）Ｐｒｉｍｅ、Ｍａｇｎａｓｏｆｔ（登録商標）ＪＳＳ、Ｓｉｌｓｏｆｔ（登録商標）Ａ−８５８（全てＭｏｍｅｎｔｉｖｅ  Ｓｉｌｉｃｏｎｅｓ製）として市販されている。
【０１３４】
別の態様では、官能化シロキサンポリマーは、米国特許出願第６１／１７０，１５０号に記載されているようなシリコーン−ウレタンを含んでもよい。これらは、商品名ＳＬＭ−２１２００（登録商標）としてＷａｃｋｅｒ  Ｓｉｌｉｃｏｎｅｓから市販されている。
【０１３５】
オルガノシリコーンの試料が分析されるとき、かかる試料は、平均して、上記の式（ＸＸＩＶ）及び（ＸＸＶ）で非整数の指数を有し得るが、かかる平均指数値は、上記の式（ＸＸＩＶ）及び（ＸＸＶ）の指数の範囲内であることを当業者は理解する。
【０１３６】
本明細書で開示される組成物の一態様には、香料及び又は香料送達系が含まれる。本明細書で使用するとき、用語「香料」は、後に水性浴及び／又はそれと接触する布地に放出される任意の発香性材料を示すために用いられる。好適な香料送達系、香料送達系を製造する方法、及び香料送達系の使用は、米国特許出願第２００７／０２７５８６６（Ａ１）号に開示されている。かかる香料送達系には以下のものが挙げられる。
【０１３７】
Ｉ．ポリマー支援型送達（ＰＡＤ）：この有益剤送達技術は、有益剤（例えば、香料）を送達するために高分子材料を使用する。ＰＡＤの例としては、古典的なコアセルベーション、水溶性又は部分水溶性〜不溶性の荷電又は中性ポリマー、液晶、ホットメルト、ヒドロゲル、香料付与プラスチック、マイクロカプセル、ナノラテックス及びマイクロラテックス、ポリマー性フィルム形成剤、並びにポリマー性吸収剤、ポリマー性吸着剤等の使用が挙げられる。更に、ＰＡＤとしては、限定するものではないが、以下のものが挙げられる。
【０１３８】
ａ．）マトリックス系：有益剤をポリマーマトリックス又は粒子中に溶解又は分散させる。例えば、香料は、１）製品を配合する前にポリマー内に分散させるか、又は２）製品の配合中又は配合後にポリマーとは別に添加することができる。例としては、アミン官能性を有するものが挙げられ、これを用いてアミン支援型送達（ＡＡＤ）及び／若しくはポリマー支援型送達（ＰＡＤ）並びに／又はアミン反応生成物（ＡＲＰ）に関連した効果を与えることができる。
【０１３９】
ｂ．）リザーバ系：リザーバ系は、コア−シェル系（例えば、香料マイクロカプセル）としても知られている。こうした系では、有益剤は、保護シェルとして機能し得る有益剤放出制御膜によって包囲される。好適なシェル材料には、１種以上のアミンと１種以上のアルデヒドとの反応生成物（ホルムアルデヒド又はグルタルアルデヒドによる尿素架橋、ホルムアルデヒドによるメラミン架橋など）、所望によりグルタルアルデヒドにより架橋されたゼラチン−ポリホスフェートコアセルベート、ゼラチン−アラビアゴムコアセルベート、架橋シリコーン流体、ポリイソシアナートと反応させたポリアミン、エポキシドと反応させたポリアミン、グルタルアルデヒドにより架橋したポリビニルアルコール、ポリジビニルクロリド、ポリアクリレート、一態様では、前記ポリアクリレート系材料は、メチルメタクリレート／ジメチルアミノメチルメタクリレートから生成されたポリアクリレート、アミンアクリレート及び／又はメタクリレート及び強酸から生成されたポリアクリレート、カルボン酸アクリレート及び／又はメタクリレートモノマー及び強塩基から生成されたポリアクリレート、アミンアクリレート及び／又はメタクリレートモノマー及びカルボン酸アクリレート及び／又はカルボン酸メタクリレートモノマーから生成されたポリアクリレート、並びにこれらの混合物を含み得る。
【０１４０】
好適なコア材料としては、香料組成物、及び／又は香料原材料を挙げることができ、好適な香料組成物には、持続性香料、例えばｃＬｏｇＰが約２．５超でかつ沸点が約２５０℃超の香料原材料が含まれていてもよい。更に、好適な香料組成物は、約３を超えるｃＬｏｇＰ及び約２６０℃未満の沸点を有する香料原材料を含むブルーミング香料を含み得る。
【０１４１】
溶媒系の中で有機又は無機物質により安定化され乳化される好適なコア材料は、ポリアクリレート、ポリビニルアルコールのようなアニオン性、非イオン性又はカチオン性のポリマーであり得る。コアシェル系を形成するのに適したプロセスとしては、コーティング、押出成形、噴霧乾燥、界面重合、重縮合、単純コアセルベーション、複合コアセルベーション、フリーラジカル重合、その場乳化重合、マトリクス重合、及びこれらの組み合わせが挙げられる。
【０１４２】
コアシェル系の好適な特徴としては、
ａ）約２０ｎｍ〜約５００ｎｍ、約４０ｎｍ〜約２５０ｎｍ、又は約６０ｎｍ〜約１５０ｎｍのシェル厚、
ｂ）５：９５〜約５０：５０、約１０：９０〜約３０：７０、又は約１０：９０〜約１５：８５のシェル対コア比、
ｃ）約０．１ＭＰａ〜約１６ＭＰａ、約０．５ＭＰａ〜約８ＭＰａ、又は更には約１ＭＰａ〜約３ＭＰａの破壊応力、及び
ｄ）約１μ〜約１００μ、約５μ〜約８０μ、又は更には約１５μ〜約５０μの平均粒径。
【０１４３】
コアシェル系に適用することができる好適な付着及び／又は保持強化コーティングとしては、多糖のようなカチオン性ポリマー、例えば、限定されるものではないが、カチオン性加工デンプン、カチオン性加工グアー、ポリシロキサン、ジアリルジメチルアンモニウムハロゲン化物、ポリジアリルジメチルアンモニウムクロリドとビニルピロリドンのコポリマー、アクリルアミド、イミダゾール、イミダゾリニウムハロゲン化物、イミダゾリウムハロゲン化物、ポリビニルアミン、リビニルアミンとＮ−ビニルホルムアミドのコポリマー、及びこれらの混合物が挙げられる。別の態様では、好適なコーティングは、ポリビニルホルムアルデヒド、部分ヒドロキシル化ポリビニル、ホルムアルデヒド、ポリビニルアミン、ポリエチレンイミン、エトキシル化ポリエチレンイミン、ポリビニルアルコール、ポリアクリレート、及びこれらの組み合わせからなる群から選択され得る。
【０１４４】
望ましくない物質を除去するために、遠心分離のような、あらゆる残留型の物質を物理的に低減する好適な方法を用いることができる。捕捉剤の使用といった、あらゆる残留型の物質を化学的に低減する好適な方法を採用することも可能であり、該捕捉剤としては、例えば、亜硫酸水素ナトリウム、尿素、エチレン尿素、システイン、システアミン、リシン、グリシン、セリン、カルノシン、ヒスチジン、グルタチオン、３，４−ジアミノ安息香酸、アラントイン、グリコウリル、アントラニル酸、アントラニル酸メチル、メチル４−アミノベンゾエート、エチルアセトアセタート、アセトアセトアミド、マロンアミド、アスコルビン酸、１，３−ジヒドロキシアセトン二量体、ビウレット、オキサミド、ベンゾグアナミン、ピログルタミン酸、ピロガロール、メチルガラート、エチルガラート、プロピルガラート、トリエタノールアミン、スクシンアミド、チアベンダゾール、ベンゾトリアゾール、トリアゾール、インドリン、スルファニル酸、オキサミド、ソルビトール、グルコース、セルロース、ポリ（ビニルアルコール）、部分的に加水分解されたポリ（ビニルホルムアミド）、ポリ（ビニルアミン）、ポリ（エチレンイミン）、ポリ（オキシアルキレンアミン）、ポリ（ビニルアルコール）−コ−ポリ（ビニルアミン）、ポリ（４−アミノスチレン）、ポリ（Ｌ−リシン）、キトサン、ヘキサンジオール、エチレンジアミン−Ｎ，Ｎ'−ビスアセトアセトアミド、Ｎ−（２−エチルヘキシル）アセトアセトアミド、２−ベンゾイルアセトアセトアミド、Ｎ−（３−フェニルプロピル）アセトアセトアミド、リリアール、ヘリオナール、メロナール、トリプラール、５，５−ジメチル−１，３−シクロヘキサンジオン、２，４−ジメチル−３−シクロヘキセンカルボキシアルデヒド、２，２−ジメチル−１，３−ジオキサン−４，６−ジオン、２−ペンタノン、ジブチルアミン、トリエチレンテトラミン、水酸化アンモニウム、ベンジルアミン、ヒドロキシシトロネロール、シクロヘキサノン、２−ブタノン、ペンタンジオン、デヒドロ酢酸、又はこれらの混合物どのホルムアルデヒド捕捉剤が挙げられる。
【０１４５】
ＩＩＩ．アミン支援型送達（ＡＡＤ）：アミン支援型送達技術の手法は、アミン基を含有する材料を使用することによって香料の蓄積量を増大させる、又は製品使用時の香料放出性を改変するものである。この手法では、製品への添加に先立って香料原材料とアミンとを予め複合又は予め反応させる必要がない。一態様において、本明細書で使用するのに好適なアミン含有ＡＡＤ材料は、非芳香族、例えばポリアルキルイミン（例えばポリエチレンイミン（ＰＥＩ））、又はポリビニルアミン（ＰＶＡｍ）、あるいは芳香族（例えばアントラニレート）であり得る。こうした材料はポリマー性又は非ポリマー性であってよい。一態様では、こうした材料には少なくとも１つの一級アミンが含有される。別の態様では、例えば硫黄、リン、セレニウムなどの窒素以外のヘテロ原子を含有する物質をアミン化合物の代わりに使用することができる。更なる別の態様では、上記の代替化合物をアミン化合物と組み合わせて使用することができる。更なる別の態様では、１つの分子がアミン部分と、例えばチオール、ホスフィン、及びセレノールなどの１つ以上の代替ヘテロ原子部分とを含有していてもよい。
【０１４６】
ｉｖ．プロ香料（ＰＰ）：この技術は、１つ以上のＰＲＭと１つ以上の担体との間に共有結合を有する材料を形成するために、香料材料と他の基材又は化学物質とを反応させることから得られる、香料技術を指す。ＰＲＭはプロＰＲＭ（即ちプロ香料）と呼ばれる新たな材料へと変換され、プロＰＲＭは水や光などの誘因への曝露に応じオリジナルのＰＲＭを放出する。プロ香料の非限定的な例としては、マイケル付加物（例えば、β−アミノケトン）、芳香族又は非芳香族イミン（シッフ塩基）、オキサゾリジン、β−ケトエステル、及びオルトエステルが挙げられる。別の態様には、例えばα、β−不飽和ケトン、アルデヒド又はカルボキシルエステルなどの、ＰＲＭを放出可能な１つ以上のβ−オキシ又はβ−チオカルボニル部分を有する化合物が含まれる。
【０１４７】
ａ．）アミン反応生成物（ＡＲＰ）：本出願の目的では、ＡＲＰは、ＰＰのサブクラス又は種である。アミン官能基が、典型的にはケトン部分及び／又はアルデヒド部分を含有する１つ以上のＰＲＭと予備反応してアミン反応生成物（ＡＲＰ）を生成することから、「反応性」ポリマー性アミンという呼び方をすることもできる。典型的には、反応性アミンは第１級及び／又は第２級アミンであり、ポリマー又はモノマー（非ポリマー）の一部であり得る。こうしたＡＲＰには、更なるＰＲＭと混合してポリマー支援型送達効果及び／又はアミン支援型送達効果を提供することも可能である。ポリマーアミンの非限定的な例としては、ポリエチレンイミン（ＰＥＩ）などのポリアルキルイミン、又はポリビニルアミン（ＰＶＡｍ）に基づいたポリマーが挙げられる。モノマー（非ポリマー）アミンの非限定的な例としては、ヒドロキシルアミン（例えば２−アミノエタノール）及びそのアルキル置換誘導体、並びに芳香族アミン（例えばアントラニレート）が挙げられる。ＡＲＰは予め香料と混合してもよく、リーブオン又はリンスオフの用途では香料と別に添加してもよい。別の態様では、例えば酸素、硫黄、リン又はセレニウムなどの窒素以外のヘテロ原子を含有する物質をアミン化合物の代わりに使用することができる。更なる別の態様では、上記の代替化合物をアミン化合物と組み合わせて使用することができる。更なる別の態様では、１つの分子がアミン部分と、例えばチオール、ホスフィン、及びセレノールなどの１つ以上の代替ヘテロ原子部分とを含有していてもよい。
【０１４８】
好適な香料送達系、特定の香料送達系の製造方法及びかかる香料送達系の使用が、米国特許出願第２００７／０２７５８６６（Ａ１）号に開示されている。一態様において、布地ケア組成物は、布地ケア組成物の約０．０１重量％〜約５重量％、若しくは約０．５重量％〜約３重量％、又は約０．５重量％〜約２重量％、或いは約１重量％〜約２重量％の純香料を含む。
【０１４９】
一態様では、本発明の組成物は、香料マイクロカプセル（ＰＭＣ）、好ましくは脆砕性ＰＭＣに封入されている香料油を含む。別の態様では、香料マイクロカプセルは、脆砕性マイクロカプセルを含む。別の態様では、ＰＭＣシェルは、アミノプラストコポリマー、特にメラミン−ホルムアルデヒド若しくは尿素−ホルムアルデヒド又は架橋されたメラミンホルムアルデヒド等を含み得る。別の態様において、ＰＭＣシェルは、アクリル材料を含むシェルであってもよい。カプセルは、Ａｐｐｌｅｔｏｎ  ＰａｐｅｒｓＩｎｃ．（Ａｐｐｌｅｔｏｎ，Ｗｉｓｃｏｎｓｉｎ  ＵＳＡ）から得ることができる。ホルムアルデヒドスカベンジャーを用いてもよい。
【０１５０】
一態様において、本発明の組成物は、洗浄界面活性剤を含まない又は実質上含まない。一態様において、組成物は、組成物の約５重量％未満、或いは約２重量％未満、或いは１重量％未満、或いは０．５重量％未満の洗浄界面活性剤を含む。
【０１５１】
別の態様において、本発明の布地向上剤は、生物の、特に皮膚及び毛髪の症状及び／又は傷害を処置するのに適した植物活性な（化粧品又は医薬品）薬剤を含まない又は実質上含まない。さらに、一態様において、組成物は、酸素感応性物質（例えば、レチノールなどの薬剤）を含まない。
【０１５２】
作製プロセス
本明細書で開示される組成物は、原材料を組み合わせることにより製造され得る。このような組み合わせは、単純混合を含む多様な方法で実施され得る。
【０１５３】
使用方法
本発明の組成物は、一回分を洗濯機に投入するか又は直接布地に塗布（例えば、噴霧）することによって布地を処理するために使用されてもよい。かかる方法は、布地を本明細書に記載の組成物と接触させる工程を含む。組成物は、すすぎサイクル中又は洗浄サイクルの初め、通常はすすぎサイクル中に洗濯機に投与することができる。本発明の布地ケア組成物は、布地の手洗い、並びに浸漬及び／又は前処理に使用してもよい。組成物は、粉末／顆粒、バー、錠剤、フォーム、フレーク、液体、分散性担体の形態であってもよく、あるいは乾燥機に添加される布地柔軟仕上げ剤シート上のコーティングとしての形態であってもよい。組成物は、単位用量として洗濯機に投入してもよく、複数の用量を含有する容器（例えば、分注キャップ）から分注してもよい。単位用量の例は、水溶性ポリビニルアルコールフィルムに入れられた組成物である。
【０１５４】
一態様では、部位の処置及び／又は洗浄方法であって、
ａ）前記部位を任意に洗浄及び／又はすすぐ工程と、
ｂ）前記部位を本明細書で開示される液体布地向上組成物と接触させる工程と、
ｃ）前記部位を任意に洗浄及び／又はすすぐ工程と、
ｄ）任意に、自動乾燥機及び／又は自然乾燥によって前記部位を乾燥する工程と、
を含む方法が開示される。
【０１５５】
合成方法及び実施例
ＤＡＤＭＡＣ系ポリマーの合成例
【実施例】
【０１５６】
実施例Ｐ１：
４Ｌの撹拌容器に、水（１１４８．８ｇ）、ジエチレントリアミン五酢酸、五ナトリウム（０．９９ｇ）、グリシジルメタクリレート（５．１９ｇ）、ビニルピロリドン（５．６３ｇ）、アクリルアミド水溶液（５０％、５０．２８ｇ）、及びジアリルジメチルアンモニウムクロリド水（６５％、９６．８６ｇ）溶液を充填し、窒素流下で８０℃に加熱する。ナトリウム過硫酸塩（２．４７ｇ）水（９８．９ｇ）溶液を４時間かけて加える。過硫酸塩溶液を１５分間供給したならば、２時間４５分かけて、一度にグリシジルメタクリレート溶液（３４．７８ｇ）、ビニルピロリドン（２２．５２ｇ）、アクリルアミドの水（５０％、２０１．１４ｇ）溶液、ジアリルジメチルアンモニウムクロリドの水（６５％、３８７．４２ｇ）溶液及び水（３５７．３７ｇ）を共に加える。両方のストリームの完了後、重合混合物をこの温度で更に１時間維持する。続いて、過硫酸ナトリウム（２．４７ｇ）水（９８．８３ｇ）溶液を１時間かけて加え、反応をこの温度で２時間維持し、次に室温に冷却させる。テトラポリマー溶液にケイ素ポリマーアミノシリコーン３Ｓ（２４．９６ｇ）を加え、８０℃に加熱しながら激しく撹拌し、この温度で１時間維持する。次に混合物を室温に冷却し、ＥＤ−Ｓｃｈｎｅｌｌｓｉｅｂ  ４００μにより濾過してケイ素官能化生成物を得る。
【０１５７】
実施例Ｐ２：
４Ｌの撹拌容器に、水（１１２８．９２ｇ）、ジエチレントリアミン五酢酸、五ナトリウム（０，９９ｇ）、グリシジルメタクリレート（７．９７ｇ）、アクリルアミド水溶液（５０％、１２７．４５ｇ）、及びジアリルジメチルアンモニウムクロリド水溶液（６５％、４１．８１ｇ）を充填し、窒素流下で８０℃に加熱した。過硫酸ナトリウム（２．４７ｇ）水（９８．８ｇ）溶液を４時間かけて加える。過硫酸塩溶液を１５分間供給したならば、２時間４５分かけて、一度にグリシジルメタクリレート溶液（３１．８６ｇ）、アクリルアミド水溶液（５０％、５０９．８２ｇ）、ジアリルジメチルアンモニウムクロリド水溶液（６５％、１６７．２５ｇ）及び水（２７９．７８ｇ）を共に加える。両方のストリームの完了後、重合混合物をこの温度で更に１時間維持する。続いて、過硫酸ナトリウム（２．４７ｇ）水（９８．８３ｇ）溶液を１時間かけて加え、反応をこの温度で２時間維持し、次に室温に冷却させる。ターポリマー溶液にケイ素ポリマーアミノシリコーン３Ｓ（２４．９６ｇ）を加え、８０℃に加熱しながら激しく撹拌し、この温度で１時間維持する。次に混合物を室温に冷却し、ＥＤ−Ｓｃｈｎｅｌｌｓｉｅｂ  ４００μにより濾過してケイ素官能化生成物を得る。
【０１５８】
実施例Ｐ３：
４Ｌの撹拌容器に、水（１１５２．７７ｇ）、ジエチレントリアミン五酢酸、五ナトリウム（０．９９ｇ）、グリシジルメタクリレート（４．１２ｇ）、アクリルアミド水溶液（５０％、１５．０５ｇ）、及びジアリルジメチルアンモニウムクロリド水溶液（６５％、１３４．１９ｇ）を充填し、窒素流下で８０℃に加熱した。過硫酸ナトリウム（２．４７ｇ）水（９８，８ｇ）溶液を４時間かけて加える．過硫酸塩溶液を１５分間供給したならば、２時間４５分かけて、一度にグリシジルメタクリレート溶液（１６．４９ｇ）、アクリルアミド水溶液（５０％、６０．２１ｇ）、ジアリルジメチルアンモニウムクロリド水溶液（６５％、５３６．７５ｇ）及び水（３７５．２８ｇ）を共に加える。両方のストリームの完了後、重合混合物をこの温度で更に１時間維持する。続いて、過硫酸ナトリウム（２．４７ｇ）水（９８．８３ｇ）溶液を１時間かけて加え、反応をこの温度で２時間維持し、次に室温に冷却させる。ターポリマー溶液にケイ素ポリマーアミノシリコーン３Ｓ（２４．９６ｇ）を加え、８０℃に加熱しながら激しく撹拌し、この温度で１時間維持する。次に混合物を室温に冷却し、ＥＤ−Ｓｃｈｎｅｌｌｓｉｅｂ  ４００μにより濾過してケイ素官能化生成物を得る。
【０１５９】
実施例Ｐ４：
２Ｌの撹拌容器に、水（５５７．７ｇ）、ジエチレントリアミン五酢酸五ナトリウム（０．４８ｇ）、グリシジルメタクリレート（５．７４ｇ）、アクリルアミド水溶液（５０％、２５．８１ｇ）、及びジアリルジメチルアンモニウムクロリド水溶液（６５％、４５．１６ｇ）を充填し、窒素流下で８０℃に加熱した。過硫酸ナトリウム（１．２０ｇ）の水（４８．０ｇ）溶液を４時間かけて加える。過硫酸塩溶液を１５分間供給したならば、２時間４５分かけて、一度にグリシジルメタクリレート溶液（２２．９４ｇ）、アクリルアミド水溶液（５０％、１０３．２６ｇ）、ジアリルジメチルアンモニウムクロリド水溶液（６５％、１８０．６６ｇ）、及び水（１７２．８ｇ）を共に加える。両方のストリームの完了後、重合混合物をこの温度で更に１時間維持する。続いて、過硫酸ナトリウム（１．２０ｇ）の水（４８．００ｇ）溶液を一度に加え、反応物をこの温度で２時間維持し、次に室温に冷却させる。ターポリマー溶液にケイ素ポリマーアミノシリコーン３Ｓ（２４．９６ｇ、この場合、ポリマーは３回に分けられ、７．８ｇケイ素が加えられる）を加え、８０℃に加熱しながら激しく撹拌し、この温度で１時間維持する。次に混合物を室温に冷却し、ＥＤ−Ｓｃｈｎｅｌｌｓｉｅｂ  ４００μにより濾過してケイ素官能化生成物を得る。
【０１６０】
実施例Ｐ５：
２Ｌの撹拌容器に、水（９９８．０２ｇ）、ジエチレントリアミン五酢酸五ナトリウム（０．６４ｇ）及びグリシジルメタクリレート（１．７８ｇ）を充填し、窒素流下で８０℃に加熱した。過硫酸ナトリウム（１．５８ｇ）水（６３．１７ｇ）溶液を６時間かけて加える。過硫酸塩溶液を１５分間供給したならば、２時間４５分かけて、グリシジルメタクリレート（７．１２ｇ）、及びジアリルジメチルアンモニウムクロリド水溶液（６５％、４４３．７１ｇ）を２回に分け別個に加える。両方のストリームの完了後、重合混合物をこの温度で更に１時間維持する。続いて、過硫酸ナトリウム（１．５８ｇ）の水（６３．１７ｇ）溶液を一度に加え、反応物をこの温度で２時間維持し、次に室温に冷却させる。コポリマー溶液にケイ素ポリマーアミノシリコーン３Ｓ（２４．９６ｇ）を加え、８０℃に加熱しながら激しく撹拌し、この温度で１時間維持する。次に混合物を室温に冷却し、ＥＤ−Ｓｃｈｎｅｌｌｓｉｅｂ  ４００μにより濾過してケイ素官能化生成物を得る。
【０１６１】
実施例Ｐ６
分子量５０００のモノメタクリレート末端化ポリジメチルシロキサン１４．０２ｇ（Ｇｅｌｅｓｔ  Ｉｎｃ．（Ｍｏｒｒｉｓｖｉｌｌｅ、ＰＡ）から入手可能）、ジメチルアミノエチルメタクリレート６．１３ｇ（Ｓｉｇｍａ−Ａｌｄｒｉｃｈ（Ｍｉｌｗａｕｋｅｅ  Ｗｉｓｃｏｎｓｉｎ）から入手可能）、ベンゼン２０ｍＬ（Ｓｉｇｍａ−Ａｌｄｒｉｃｈ（Ｍｉｌｗａｕｋｅｅ  Ｗｉｓｃｏｎｓｉｎ）から入手可能）及び２，２−アゾビス（２，４−ジメチル−４−メトキシバレロニトリル）０．０５５１ｇ（Ｗａｋｏ  Ｃｈｅｍｉｃａｌｓ（Ｒｉｃｈｍｏｎｄ、ＶＡ）からＶ−７０として入手可能）を反応器に入れる。次に反応器を隔膜により密閉し、内容物に、ガスバブラーにより１５分間窒素を吹き込んだ。１５分後、反応器を６５℃に加温し、６５℃で２４時間維持する。
【０１６２】
実施例Ｐ７
分子量５０００のモノメタクリレート末端化ポリジメチルシロキサン１４．０５ｇ（Ｇｅｌｅｓｔ  Ｉｎｃ．（Ｍｏｒｒｉｓｖｉｌｌｅ、ＰＡ）から入手可能）、２−エチルヘキシルメタクリレート３．０４ｇ（Ｓｉｇｍａ−Ａｌｄｒｉｃｈ（Ｍｉｌｗａｕｋｅｅ  Ｗｉｓｃｏｎｓｉｎ）から入手可能）、ジメチルアミノエチルメタクリレート３．０９ｇ（Ｓｉｇｍａ−Ａｌｄｒｉｃｈ（Ｍｉｌｗａｕｋｅｅ  Ｗｉｓｃｏｎｓｉｎ）から入手可能）、ベンゼン２０ｍＬ（Ｓｉｇｍａ−Ａｌｄｒｉｃｈ（Ｍｉｌｗａｕｋｅｅ  Ｗｉｓｃｏｎｓｉｎ）から入手可能）及び２，２−アゾビス（２，４−ジメチル−４−メトキシバレロニトリル）０．０５７７ｇ（Ｗａｋｏ  Ｃｈｅｍｉｃａｌｓ（Ｒｉｃｈｍｏｎｄ、ＶＡ）からＶ−７０として入手可能）を反応器に加える。次に反応器を隔膜により密閉し、内容物に、ガスバブラーにより１５分間窒素を吹き込んだ。１５分後、反応器を６５℃に加温し、６５℃で２４時間維持する。
【０１６３】
実施例Ｐ８
分子量５０００のモノメタクリレート末端化ポリジメチルシロキサン１４．０２ｇ（Ｇｅｌｅｓｔ  Ｉｎｃ．（Ｍｏｒｒｉｓｖｉｌｌｅ、ＰＡ）から入手可能）、ジメチルアミノエチルメタクリレート６．００ｇ（Ｓｉｇｍａ−Ａｌｄｒｉｃｈ（Ｍｉｌｗａｕｋｅｅ  Ｗｉｓｃｏｎｓｉｎ）から入手可能）、トルエン２０ｍＬ（Ｓｉｇｍａ−Ａｌｄｒｉｃｈ（Ｍｉｌｗａｕｋｅｅ  Ｗｉｓｃｏｎｓｉｎ）から入手可能）及びジメチル２，２’−アゾビス（２−メチルプロピオン酸塩）０．０５ｇ（Ｗａｋｏ  Ｃｈｅｍｉｃａｌｓ（Ｒｉｃｈｍｏｎｄ、ＶＡ）Ｖ−６０１として入手可能）を反応器に入れる。次に反応器を隔膜により密閉し、内容物に、ガスバブラーにより１５分間窒素を吹き込んだ。１５分後、反応器を６５℃に加温し、６５℃で２４時間維持する。２４時間後、反応溶液をアセトニトリル２００ｍＬ（（Ｓｉｇｍａ−Ａｌｄｒｉｃｈ（Ｍｉｌｗａｕｋｅｅ  Ｗｉｓｃｏｎｓｉｎ）から入手可能）に注ぎ入れ、反応物を沈殿させる。ポリマーから液体層を濾去し、ポリマーを更に２００ｍＬのアセトニトリルですすぎ洗いする。次に、１００ｍＬのイソプロパノール（Ｓｉｇｍａ−Ａｌｄｒｉｃｈ（Ｍｉｌｗａｕｋｅｅ  Ｗｉｓｃｏｎｓｉｎ）から入手可能）を加えてポリマーを溶解させ、２時間撹拌する。ブロモブタン８３．１５ｇ（Ｓｉｇｍａ−Ａｌｄｒｉｃｈ（Ｍｉｌｗａｕｋｅｅ  Ｗｉｓｃｏｎｓｉｎ）から入手可能）をポリマー溶液に加える。反応物を隔膜により密閉し、ポリマー溶液を水浴で１６時間４０℃に加熱する。２４時間後、反応物を真空抽出する。
【０１６４】
分子量約１９００のメトキシポリ（エチレンオキシ）エチルアクリレート７．０１ｇ（Ｍｏｎｏｍｅｒ−Ｐｏｌｙｍｅｒ  ＆  Ｄａｊａｃ  Ｌａｂｓ（Ｔｒｅｖｏｓｅ、ＰＡ）から入手可能）、分子量５０００のモノメタクリレート末端化ポリジメチルシロキサン６．０６ｇ（Ｇｅｌｅｓｔ  Ｉｎｃ．（Ｍｏｒｒｉｓｖｉｌｌｅ、ＰＡ）から入手可能）、ジメチルアミノエチルメタクリレート７．０１ｇ（Ｍｏｎｏｍｅｒ−Ｐｏｌｙｍｅｒ−Ｄａｊａｃから入手可能）、トルエン３５ｍＬ（Ｓｉｇｍａ−Ａｌｄｒｉｃｈ（Ｍｉｌｗａｕｋｅｅ  Ｗｉｓｃｏｎｓｉｎ）から入手可能）、酢酸エチル３５ｍＬ（Ｓｉｇｍａ−Ａｌｄｒｉｃｈ（Ｍｉｌｗａｕｋｅｅ  Ｗｉｓｃｏｎｓｉｎ）から入手可能）及びジメチル２，２’−アゾビス（２−メチルプロピオン酸塩）０．１５ｇ（Ｗａｋｏ  Ｃｈｅｍｉｃａｌｓ（Ｒｉｃｈｍｏｎｄ、ＶＡ）Ｖ−６０１として入手可能）を反応物に加える。次に反応器を隔膜により密閉し、内容物に、ガスバブラーにより１５分間窒素を吹き込んだ。１５分後、反応器を６５℃に加温し、６５℃で２４時間維持する。２４時間後、反応溶液をアセトニトリル２００ｍＬ（（Ｓｉｇｍａ−Ａｌｄｒｉｃｈ（Ｍｉｌｗａｕｋｅｅ  Ｗｉｓｃｏｎｓｉｎ）から入手可能）に注ぎ入れ、反応物を沈殿させる。ポリマーから液体層を濾去し、ポリマーを更に２００ｍＬのアセトニトリルですすぎ洗いする。次に、１００ｍＬのイソプロパノール（Ｓｉｇｍａ−Ａｌｄｒｉｃｈ（Ｍｉｌｗａｕｋｅｅ  Ｗｉｓｃｏｎｓｉｎ）から入手可能）を加えてポリマーを溶解させ、２時間撹拌する。ブロモブタン８３．１５ｇ（Ｓｉｇｍａ−Ａｌｄｒｉｃｈ（Ｍｉｌｗａｕｋｅｅ  Ｗｉｓｃｏｎｓｉｎ）から入手可能）をポリマー溶液に加える。反応物を隔膜により密閉し、ポリマー溶液を水浴で１６時間４０℃に加熱する。２４時間後、反応物を真空抽出する。
【０１６５】
【表１】
2015531008.tif 000035
【０１６６】
配合例
実施例１：非イオン性乳化剤の存在下で作製された粒子（２種類のＨＬＢのもの）
低ＨＬＢ界面活性剤／乳化剤を用いるＨ２Ｏ／Ｓｉエマルションの調製物は、その後希釈中に反転されてＳｉ／Ｈ２Ｏエマルションを形成する。
【０１６７】
【表２】
2015531008.tif 000036
【０１６８】
ＩＫＡ  Ｔ２５  Ｕｌｔｒａ−Ｔｕｒｒａｘ分散機（出力３００Ｗ）及びＩＫＡ分散用部品（Ｓ２５Ｎ−２５Ｇ）を用いて、非プラスチック製容器内にシリコーン流体及びポリマーを加える。５分間５００ＲＰＭで混合する。乳化剤＃１を加え、５分間５００ＲＰで混合する。別の容器で乳化剤＃２及び水をブレンドし、完全に分散するまで混合する。水＋乳化剤＃２組成物を３等分の量ずつ、シリコーン／ポリマー／乳化剤＃１組成物に加える。各量を加えた後、３，０００ＲＰＭで均質かつ均一な稠度になるまで混合する。すべての水＋乳化剤＃２を混合した後、氷酢酸を加えてｐＨを調整し、２０分間３，０００ＲＰＭで混合する。
【０１６９】
実施例２：非イオン性乳化剤（１非イオン性界面活性剤／乳化剤）
単一の乳化剤による調製物の調製方法
【０１７０】
【表３】
2015531008.tif 000037
【０１７１】
ＩＫＡ  Ｔ２５  Ｕｌｔｒａ−Ｔｕｒｒａｘ分散機（出力３００Ｗ）及びＩＫＡ分散用部品（Ｓ２５Ｎ−２５Ｇ）を用いて、非プラスチック製容器内で乳化剤＃１及び水をブレンドし、完全に分散するまで混合する。別の非プラスチック製容器では、流体及びポリマーをブレンドする。５分間５００ＲＰＭで混合する。シリコーンポリマー組成物を、約１０グラム／分で、一定に３，０００ＲＰＭで混合しながら水／乳化剤＃１組成物に加える。組成物全体を２０分間３，０００ＲＰＭで混合する。氷酢酸を加えてｐＨを調整し、３分間３，０００ＲＰＭで混合する。
【０１７２】
実施例３：ポリマー乳化剤（界面活性剤／乳化剤不添加）
ポリマー乳化剤調製方法を用いる単一の乳化剤による調製物
【０１７３】
【表４】
2015531008.tif 000038
【０１７４】
ポリマーを水に加え、シリコーン流体に加えないこと以外は、実施例２の調製方法に従う。
【０１７５】
実施例４：ポリマー乳化剤（界面活性剤／乳化剤不添加）
ポリマー乳化剤調製方法を用いる単一の乳化剤による調製物。ポリマーをシリコーンに加え、総水分量の５％をシリコーン＋ポリマー組成物に加えること以外は、材料及び濃度は実施例２と同じである。
【０１７６】
【表５】
2015531008.tif 000039
【０１７７】
実施例５：その場（In-situ）：製品中粒子形成（界面活性剤／乳化剤非添加）
単一の乳化剤による調製物の調製方法
【０１７８】
【表６】
2015531008.tif 000040
【０１７９】
９０度のフラットブレードインペラを取り付けたオーバーヘッド式ミキサＩＫＡ−ＲＷ２０を使用し、非プラスチック製容器において、ポリマー及びシリコーンを５００ＲＰＭで２０分間、均一に分散するまで配合する。
【０１８０】
実施例６：重質液体洗剤配合例
以下の重質液体洗剤を、従来のプロセスによって以下に記載する成分を混合することによって製造する。かかる重質液体洗剤を使用して布地を洗濯し、その後自然乾燥及び／又は乾燥機によって乾燥する。乾燥前及び／又は乾燥中に、かかる布地を布地向上剤で処理してもよい。かかる布地の外観は清潔なものであり、柔らかな感触を有する。
【０１８１】
【表７】
2015531008.tif 000041
【０１８２】
【表８】
2015531008.tif 000042
１  Ｓｈｅｌｌ  Ｃｈｅｍｉｃａｌｓ（Ｈｏｕｓｔｏｎ，ＴＸ）から入手可能。
２  Ｄｅｇｕｓｓａ  Ｃｏｒｐｏｒａｔｉｏｎ（Ｈｏｐｅｗｅｌｌ，ＶＡ）から入手可能。
３  Ｓｈｅｌｌ  Ｃｈｅｍｉｃａｌｓ（Ｈｏｕｓｔｏｎ，ＴＸ）から入手可能。
４  Ｔｈｅ  Ｐｒｏｃｔｅｒ  ＆  Ｇａｍｂｌｅ  Ｃｏｍｐａｎｙ（Ｃｉｎｃｉｎｎａｔｉ，ＯＨ）から入手可能。
５  Ｇｅｎｅｎｃｏｒ  Ｉｎｔｅｒｎａｔｉｏｎａｌ（Ｓｏｕｔｈ  Ｓａｎ  Ｆｒａｎｃｉｓｃｏ，ＣＡ）から入手可能。
６  Ｃｉｂａ  Ｓｐｅｃｉａｌｔｙ  Ｃｈｅｍｉｃａｌｓ（Ｈｉｇｈ  Ｐｏｉｎｔ，ＮＣ）から入手可能。
７  商品名ＬＵＴＥＮＳＩＴ（登録商標）として販売、ＢＡＳＦ（Ｌｕｄｗｉｇｓｈａｆｅｎ，Ｇｅｒｍａｎｙ）から入手可能、国際公開第０１／０５８７４号に記載。
８  Ｎｉｐｐｏｎ  Ｓｈｏｋｋａｂａｉから入手可能
９  アミノ官能性シリコーン、ＫＦ８６９、ＫＦ８６７  Ｓｈｉｎ−Ｅｔｓｕ  Ｓｉｌｉｃｏｎｅｓ（Ａｋｒｏｎ  ＯＨ）、Ｍｏｍｅｎｔｉｖｅ  Ｓｉｌｉｃｏｎｅｓ（Ａｋｒｏｎ、ＯＨ、ＵＳＡ）からのＣＦ４２−ｘｘｘ、Ｇｉｌｅｓｔ、Ｍｏｒｒｉｓｖｉｌｌｅ（ＰＡ、ＵＳＡ）から入手可能な粘度０．００５、０．０１ｍ２／ｓ（５０００、１００００ｃＳｔ）のポリジメチルシロキサン、及びＤｏｗ  Ｃｏｒｎｉｎｇ社（Ｍｉｄｌａｎｄ、ＭＩ）から入手可能な、粘度が０．０６ｍ２／ｓ（６０，０００ｃＳｔ）のポリジメチルシロキサン。
１１  安定剤、香料、染料、レオロジー改質剤、乳白剤、洗浄ポリマーを含んでよいが、これらに限定されない
１２  表１由来のポリマーＰ３
【０１８３】
実施例７：布地向上剤
以降は、本発明の組成物の非限定的な実施例であって、かかる組成物は、本明細書に開示している１つ以上の製造方法によって製造される。
【０１８４】
【表９】
2015531008.tif 000043
【０１８５】
【表１０】
2015531008.tif 000044
ａ  Ｎ，Ｎ−ジ（タローオイルオキシエチル）−Ｎ，Ｎ−ジメチルアンモニウムクロライド。
ｂ  メチル−ビス（タローアミドエチル）−２−ヒドロキシエチルアンモニウムメチルサルフェート。
ｃ  脂肪酸とメチルジエタノールアミンとのモル比１．５：１での反応生成物を塩化メチルで四級化して得られる、Ｎ，Ｎ−ビス（ステアロイル−オキシ−エチル）Ｎ，Ｎ−ジメチルアンモニウムクロリドとＮ−（ステアロイル−オキシ−エチル）Ｎ−ヒドロキシエチルＮ，Ｎジメチルアンモニウムクロリドとの１：１モル混合物。
Ｚ  ヨウ素価が４０である脂肪酸とメチル／ジイソプロピルアミンとの、アミンに対する脂肪酸のモル比が約１．８６〜２．１である反応生成物であって、硫酸メチルで四級化された反応生成物。
ｄ  Ｎａｔｉｏｎａｌ  Ｓｔａｒｃｈから商品名ＨＹＬＯＮ  ＶＩＩ（登録商標）として入手可能なカチオン性高アミローストウモロコシデンプン。
ｅ  Ｃｉｂａから商品名Ｒｈｅｏｖｉｓ  ＣＤＥとして入手可能なカチオン性ポリマー。
ｆ  米国特許第５，５７４，１７９号、第１５欄、１〜５行目に記載の式を有する、エチレンオキシドとテレフタレートとのコポリマーであって、式中、各Ｘはメチルであり、各ｎは４０であり、ｕは４であり、各Ｒ１は本質的に１，４−フェニレン部分であり、各Ｒ２は、本質的にエチレン、１，２−プロピレン部分、又はこれらの混合物である。
ｇ  Ｗａｃｋｅｒ製のＳＥ３９。
ｈ  ジエチレントリアミン五酢酸。
ｉ  Ｒｏｈｍ  ａｎｄ  Ｈａａｓ  Ｃｏ．から入手可能なＫｏｒａｌｏｎｅ  Ｂ−１１９、「ＰＰＭ」は、「百万分率」である。
ｊ  Ｄｏｗ  Ｃｏｒｎｉｎｇ  Ｃｏｒｐ．から商品名ＤＣ２３１０として入手可能なシリコーン消泡剤。
ｌ  ＢＡＳＦから商品名Ｌｕｐａｓｏｌとして入手可能なポリエチレンイミン。
ｍ  アミノ官能性シリコーン、ＫＦ８６９、ＫＦ８６７（Ｓｈｉｎ−Ｅｔｓｕ  Ｓｉｌｉｃｏｎｅｓ（Ａｋｒｏｎ  ＯＨ）、ＣＦ４２−ｘｘｘ（Ｍｏｍｅｎｔｉｖｅ  Ｓｉｌｉｃｏｎｅｓ（Ａｋｒｏｎ、ＯＨ、ＵＳＡ））、Ｇｉｌｅｓｔ（Ｍｏｒｒｉｓｖｉｌｌｅ、ＰＡ、ＵＳＡ）から入手可能な粘度０．００５、（５０００）、０．０１ｍ２／ｓ（１００００ｃＳｔ）のポリジメチルシロキサン、及びＤｏｗ  Ｃｏｒｎｉｎｇ社（Ｍｉｄｌａｎｄ、ＭＩ）から入手可能な、粘度が０．０６ｍ２／ｓ（６０，０００ｃＳｔ）のポリジメチルシロキサン。
ｎ  ＴＤＡシリコーンペンダントカチオン性アクリルアミド、シリコーン改質ポリエチレンイミン、ＢＡＳＦ（６７０５６  Ｌｕｄｗｉｇｓｈａｆｅｎ、Ｇｅｒｍａｎｙ）により供給。
ｐ  Ｗａｃｋｅｒ  Ｓｉｌｉｃｏｎｅｓ，Ｍｕｎｉｃｈ，Ｇｅｒｍａｎｙから市販されているヘキサメチレンジイソシアネート（ＨＤＩ）、及びａ，ｗシリコーンジオール、及び１，３−プロパンジアミン、Ｎ’−（３−ジメチルアミノプロピル）−Ｎ，Ｎ−ジメチル−Ｊｅｆｆｃａｔ  Ｚ１３０）又はＮ−（３−ジメチルアミノプロピル）−Ｎ，Ｎジイソプロパノールアミン（Ｊｅｆｆｃａｔ  ＺＲ５０）の反応により作製されるオルガノシロキサンポリマー縮合物。
【０１８６】
実施例８：布地増強剤の使用
実施例Ｉ〜ＸＩＩの液体布地向上剤活性物質製剤を使用して布地を軟化させる。製剤を全自動洗濯機での洗濯すすぎに使用する。すすぎ完了後、布地を機械乾燥させるか又は自然乾燥させる。
【０１８７】
実施例９：単位用量
同様に、実施例Ｉ〜ＸＩＩの各々の流体布地増強活性剤処方は、各処方を取り囲むフィルムを含む一回用量包装で配置する。／このような一回用量は、洗浄液及び／又はすすぎ液に一回用量を加えることによリ使用される。すすぎ完了後、布地を機械乾燥させるか又は自然乾燥させる。
【０１８８】
実施例１０：ＰＥＩポリマー
次のポリマーを、国際公開第２００８０５１２２１号に開示されるプロセスに従って調製する。
ＰＥＩ（２ｍｏｌ）＋２５．０ｇＳＧＥ（０，００４ｍｏｌ）
ＰＥＩ（２ｍｏｌ）＋２０．０ｇＳＧＥ（０，０２ｍｏｌ）
ＰＥＩ（２ｍｏｌ）＋２５．０ｇＳＧＥ（０，００４ｍｏｌ）
【０１８９】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示された寸法は、「約４０ｍｍ」を意味することを意図する。
【０１９０】
「発明を実施するための形態」で引用する全ての文献は、関連部分において本明細書に参照により組み込まれるが、いずれの文献の引用も、それが本発明に関する先行技術であることを容認するものとして解釈されるべきではない。本明細書中の用語の任意の意味又は定義が、参照により組み込まれた文献中の同一用語の任意の意味又は定義と相反する限りにおいては、本明細書においてその用語に与えられた意味又は定義を適用する。
【０１９１】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の特許請求の範囲で扱うものとする。
【国際調査報告】
2015531008.tif 000052
2015531008.tif 000053
2015531008.tif 000054
2015531008.tif 000055
2015531008.tif 000056